(57)【要約】【課題】先読みによる判定結果に対応した複数回の可変表示を分割した複数の表示画面で実行することにより、複数回の可変表示に亘って実行される一連の演出の視覚効果を高めつつ、大当りに対する遊技者の期待感を高め、効果的に遊技の興趣を向上させることができる。【解決手段】始動入賞時に保留記憶を先読みすることにより大当り等の判定を行い、判定結果に応じた予告演出として、演出表示装置９の画面を複数の保留記憶に対応した画面に分割し、各々の画面においてリーチ状態とする。そして、保留記憶にもとづく変動を開始する度に分割された画面においてリーチ状態から変動を開始した後に停止図柄を停止表示する。【選択図】図４
2010099271.tif 000002
【特許請求の範囲】
【請求項１】
識別情報の可変表示を開始し、表示結果を導出表示することで遊技結果を確定する可変表示装置を備え、遊技結果が特定遊技結果となったときに遊技者にとって有利な特定遊技状態に制御する遊技機であって、
始動領域を遊技媒体が通過したことを検知する検知手段と、
前記検知手段において遊技媒体を検知したときに可変表示を行う権利を記憶する保留記憶手段と、
前記保留記憶手段に記憶された１の権利により行う可変表示において特定遊技結果とするか否を前記１の権利による表示結果を導出表示する以前に決定する事前決定手段と、
前記事前決定手段の決定結果に対応して、前記１の権利が記憶された後、該１の権利により行われる可変表示が開始されるまでに行われる前記１の権利と別に記憶された権利による１回または複数回の先実行可変表示中に前記可変表示装置を用いて特殊演出を実行する特殊演出実行手段と、を備え、
前記特殊演出実行手段は、
前記可変表示装置において少なくとも前記１の権利により行われる可変表示および該可変表示が開始されるまでに行われる前記先実行可変表示の回数を合算した数の画面を設定する画面設定手段と、
前記画面設定手段により設定された各々の画面においてリーチ状態を表示するリーチ状態表示手段と、
前記先実行可変表示を開始する度に前記リーチ状態から前記識別情報の可変表示を開始して表示結果を導出表示するリーチ可変表示実行手段と、を含む
ことを特徴とする遊技機。
【請求項２】
リーチ可変表示実行手段は、リーチ状態から識別情報の可変表示を開始するときに、該識別情報の可変表示を実行する画面を画面設定手段によって設定された画面から拡大する画面拡大手段を含む
請求項１記載の遊技機。
【請求項３】
識別情報の可変表示を行う可変表示パターンとして、識別情報の可変表示が開始されてから表示結果が導出表示されるまでに一旦所定表示結果を仮停止させた後に全ての識別情報について可変表示を再度実行する再可変表示を１回または複数回実行する再可変表示パターンを含む複数種類の可変表示パターンが設けられ、
保留記憶手段に記憶された１の権利により行う可変表示の可変表示パターンを前記１の権利による表示結果を導出表示する以前に決定する可変表示パターン決定手段を備え、
画面設定手段は、先実行可変表示の可変表示パターンが前記再可変表示パターンを含む場合、さらに前記再可変表示の実行回数を合算した数の画面を設定する
請求項１または請求項２記載の遊技機。
【請求項４】
画面設定手段は、画面を設定した後に保留記憶手段に新たに可変表示を行う権利が記憶された場合、新たに記憶された権利により行われる可変表示に対応する画面を設定する
請求項１から請求項３のうちのいずれかに記載の遊技機。
【請求項５】
特殊演出実行手段は、１の権利を記憶したことによって特殊演出を実行する場合に、該１の権利により行われる可変表示および当該可変表示が開始されるまでに行われる先実行可変表示の回数を合算した数が所定数未満であるときは、前記１の権利を記憶した後に保留記憶手段に新たに可変表示を行う権利が記憶され、新たに記憶された権利の数をさらに合算した数が前記所定数以上になってから前記特殊演出を実行する
請求項１から請求項４のうちのいずれかに記載の遊技機。
【請求項６】
画面設定手段は、特定の可変表示パターンにもとづく可変表示を行う権利に対応する画面を、前記特定の可変表示パターン以外の可変表示パターンにもとづく可変表示を行う権利に対応する画面と異なる特殊画面に設定する特殊画面設定手段を含む
請求項１から請求項５のうちのいずれかに記載の遊技機。
【請求項７】
検出手段が遊技媒体を通過したときに、事前決定手段が特定遊技結果とするか否かを決定するための特定遊技結果決定用乱数と、可変表示パターン決定手段が識別情報の可変表示パターンを決定するための可変表示決定用乱数とを抽出する抽出手段を備え、
保留記憶手段は、前記検出手段が遊技媒体を検出したにもかかわらず前記可変表示が開始されていない可変表示について、前記抽出手段が抽出した前記特定遊技結果決定用乱数と前記可変表示決定用乱数とを所定の上限数を限度として可変表示を行う権利として記憶し、
可変表示パターン決定手段は、前記事前決定手段の決定結果にもとづいて、前記可変表示決定用乱数と、複数種類の可変表示パターンに対して判定値が割り当てられたテーブルであって前記可変表示を開始させる際の前記保留記憶手段が記憶する権利の数に応じて割り当てる判定値が異なる判定値テーブルとを用いて、前記識別情報の可変表示パターンを決定し、
前記可変表示パターン決定手段による決定前に、前記検出手段が遊技媒体を検出したことにもとづいて、前記抽出手段により抽出された前記可変表示決定用乱数と前記判定値テーブルとを用いて、前記識別情報の可変表示パターンが複数種類の可変表示パターンのうちの特定の可変表示パターンとなるか否かを判定する始動判定手段と、
前記始動判定手段によって前記特定の可変表示パターンとなると判定されたことにもとづいて、当該特定の可変表示パターンとなると判定された識別情報の可変表示が開始される以前に、前記特定の可変表示パターンとなることを報知する演出を実行可能である報知実行手段と、をさらに備え、
前記判定値テーブルは、
前記特定の可変表示パターンに対しては、前記保留記憶手段が記憶する権利の数にかかわらず、共通の判定値が割り当てられ、
前記特定の可変表示パターン以外の可変表示パターンに対しては、前記保留記憶手段が記憶する権利の数に応じて異なる判定値が割り当てられている
請求項１から請求項６のうちのいずれかに記載の遊技機。
【発明の詳細な説明】
【技術分野】
【０００１】
本発明は、遊技者にとって有利な特定遊技状態に移行するパチンコ機等の遊技機に関する。
【背景技術】
【０００２】
遊技機として、遊技媒体である遊技球を発射装置によって遊技領域に発射し、遊技領域に設けられている入賞口などの入賞領域に遊技球が入賞すると、所定個の賞球が遊技者に払い出されるものがある。さらに、識別情報を可変表示（「変動」ともいう。）可能な可変表示部が設けられ、可変表示部において識別情報の可変表示の表示結果が特定表示結果となった場合に、所定の遊技価値を遊技者に与えるように構成されたものがある。
【０００３】
なお、遊技価値とは、遊技機の遊技領域に設けられた可変入賞球装置の状態が打球が入賞しやすい遊技者にとって有利な状態になることや、遊技者にとって有利な状態になるための権利を発生させたりすることや、賞球払出の条件が成立しやすくなる状態になることである。
【０００４】
パチンコ機（以下、遊技機という。）では、始動入賞口に遊技球が入賞したことにもとづいて可変表示部において開始される特別図柄（識別情報）の可変表示の表示結果として、あらかじめ定められた特定の表示態様が導出表示された場合に、「大当り」が発生する。なお、導出表示とは、図柄を停止表示させることである（いわゆる再変動の前の停止を除く。）。大当りが発生すると、例えば、大入賞口が所定回数開放して打球が入賞しやすい大当り遊技状態に移行する。そして、各開放期間において、所定個（例えば１０個）の大入賞口への入賞があると大入賞口は閉成する。そして、大入賞口の開放回数は、所定回数（例えば１５ラウンド）に固定されている。なお、各開放について開放時間（例えば２９秒）が決められ、入賞数が所定個に達しなくても開放時間が経過すると大入賞口は閉成する。以下、各々の大入賞口の開放期間をラウンドということがある。
【０００５】
また、可変表示部において、最終停止図柄（例えば左右中図柄のうち中図柄）となる図柄以外の図柄が、所定時間継続して、特定の表示結果と一致している状態で停止、揺動、拡大縮小もしくは変形している状態、または、複数の図柄が同一図柄で同期して変動したり、表示図柄の位置が入れ替わっていたりして、最終結果が表示される前で大当り発生の可能性が継続している状態（以下、これらの状態をリーチ状態という。）において行われる演出をリーチ演出という。また、リーチ状態やその様子をリーチ態様という。さらに、リーチ演出を含む可変表示をリーチ可変表示という。そして、可変表示装置に変動表示される図柄の表示結果が特定の表示結果でない場合には「はずれ」となり、変動表示状態は終了する。遊技者は、大当りをいかにして発生させるかを楽しみつつ遊技を行う。
【０００６】
そのような遊技機において、可変表示部の表示画面を保留記憶数分の表示画面に分割し、分割した各々の表示画面において保留記憶数分の図柄の変動を同時に行うように構成したものがある（例えば、特許文献１参照）。
【０００７】
また、可変表示部の表示画面を分割し、分割した各々の表示画面においてリーチ状態を表示するように構成したものもある（例えば、特許文献２参照。）
【０００８】
【特許文献１】特開２００４−３４４４６２号公報（図１２、図１３）
【特許文献２】特開２００５−２１２６６号公報（図２９〜図３２）
【発明の開示】
【発明が解決しようとする課題】
【０００９】
特許文献１，２に記載された遊技機では、分割した表示画面で図柄の変動が実行されるので、見た目上、賑やかになって演出の視覚効果を高めることができる。しかし、分割した各表示画面における図柄の変動は、保留記憶の先読み判定（始動入賞にもとづく変動表示を実行する前にあらかじめ各乱数値を先読みして大当りとなるか否かや、リーチとなるか否か、図柄の変動パターンなどを判定する処理）の結果に対応して行われるわけではない。従って、各表示画面における各々の図柄の変動が単調となって各変動における大当りの期待を効果的に高めることできない。
【００１０】
そこで、本発明は、先読みによる判定結果に対応した複数回の可変表示を分割した複数の表示画面で実行することにより、複数回の可変表示に亘って実行される一連の演出の視覚効果を高めつつ、大当りに対する遊技者の期待感を高め、効果的に遊技の興趣を向上させることができる遊技機を提供することを目的とする。
【課題を解決するための手段】
【００１１】
本発明による遊技機は、識別情報（例えば、特別図柄、演出図柄）の可変表示を開始し、表示結果（例えば停止図柄）を導出表示することで遊技結果（例えば、はずれ、通常大当り、確変大当り、小当り）を確定する可変表示装置（例えば、特別図柄表示器８ａ、演出表示装置９）を備え、遊技結果が特定遊技結果（例えば、大当り）となったときに遊技者にとって有利な特定遊技状態（例えば、大当り遊技状態）に制御する遊技機であって、始動領域（例えば、第１始動入賞口１３、第２始動入賞口１４）を遊技媒体が通過したことを検知する検知手段（例えば、第１始動口スイッチ１３ａ、第２始動口スイッチ１４ａ）と、検知手段において遊技媒体を検知したときに可変表示を行う権利を記憶する保留記憶手段（例えば、遊技制御用マイクロコンピュータ５６０における始動口スイッチ通過処理で乱数値を保留記憶バッファに保存する処理を実行する部分）と、保留記憶手段に記憶された１の権利により行う可変表示において特定遊技結果とするか否を１の権利による表示結果を導出表示する以前に決定する事前決定手段（例えば、遊技制御用マイクロコンピュータ５６０における大当り判定を実行する部分）と、事前決定手段の決定結果に対応して、１の権利が記憶された後、該１の権利により行われる可変表示が開始されるまでに行われる１の権利と別に記憶された権利による１回または複数回の先実行可変表示中に可変表示装置を用いて特殊演出（例えば、図４〜図６に示す予告演出）を実行する特殊演出実行手段（例えば、演出制御用マイクロコンピュータ１００における可変表示中（演出図柄変動中処理の実行中）に予告演出を実行する部分）と、を備え、特殊演出実行手段は、可変表示装置において少なくとも１の権利により行われる可変表示および該可変表示が開始されるまでに行われる先実行可変表示の回数を合算した数（例えば、予告演出を実行する変動の開始前の保留記憶数）の画面を設定する画面設定手段（例えば、図４（４）に示す演出表示装置９の画面を保留記憶数分の画面９１〜９４に分割する演出を実行する部分：なお、実際は、図４（４）では保留記憶数と擬似連の再変動の回数とを合計した合計数の画面に分割されている。）と、画面設定手段により設定された各々の画面においてリーチ状態を表示するリーチ状態表示手段（例えば、図４（５）に示す各々の画面９１〜９４においてリーチ状態を表示する演出を実行する部分）と、先実行可変表示を開始する度にリーチ状態から識別情報の可変表示を開始して表示結果を導出表示するリーチ可変表示実行手段（例えば、図４（８）（９）、図５（１０）、図５（１３）（１４）（１５）、図５（１８）、図６（１９）（２０）、図６（２３）（２４）（２５）に示す各保留記憶にもとづく演出図柄の変動を開始する度にリーチ状態から演出図柄の変動を開始して停止図柄を導出表示する演出を実行する部分）と、を含むことを特徴とする。
【００１２】
リーチ可変表示実行手段は、リーチ状態から識別情報の可変表示を開始するときに、該識別情報の可変表示を実行する画面を画面設定手段によって設定された画面から拡大する画面拡大手段（例えば、図４（８）、図５（１３）、図５（１８）、図６（２３）に示す画面を拡大する演出を実行する部分）を含む構成とされていてもよい。
【００１３】
識別情報の可変表示を行う可変表示パターン（例えば、変動パターン）として、識別情報の可変表示が開始されてから表示結果が導出表示されるまでに一旦所定表示結果を仮停止させた後に全ての識別情報について可変表示を再度実行する再可変表示（例えば、再変動）を１回または複数回実行する再可変表示パターン（例えば、擬似連の変動パターン）を含む複数種類の可変表示パターンが設けられ、保留記憶手段に記憶された１の権利により行う可変表示の可変表示パターンを１の権利による表示結果を導出表示する以前に決定する可変表示パターン決定手段（例えば、遊技制御用マイクロコンピュータ５６０において擬似連の変動パターンを含む複数種類の変動パターンの中から変動パターンを決定する処理を実行する部分）を備え、画面設定手段は、先実行可変表示の可変表示パターンが再可変表示パターンを含む場合、さらに再可変表示の実行回数（例えば、再変動の実行回数１〜３）を合算した数の画面を設定する（例えば、図４（２）のときに保留記憶数が「３」であるが、３個の保留記憶の中に再変動１回の擬似連の変動パターンが決定されている保留記憶が含まれている場合、図４（４）に示すように、演出表示装置９の画面を、保留記憶数「３」と再変動の実行回数「１」とを合計した合計数「４」の画面に分割する）ように構成されていてもよい。
【００１４】
画面設定手段は、画面を設定した後に保留記憶手段に新たに可変表示を行う権利が記憶された場合、新たに記憶された権利により行われる可変表示に対応する画面を設定する（例えば、予告演出の実行中に始動入賞が発生して保留記憶が増えた場合、図６（１９）〜（２４）に示すように新たに記憶された保留記憶に対応する画面９５を設定する）ように構成されていてもよい。
【００１５】
特殊演出実行手段は、１の権利を記憶したことによって特殊演出を実行する場合に、該１の権利により行われる可変表示および当該可変表示が開始されるまでに行われる先実行可変表示の回数を合算した数が所定数（例えば３）未満であるときは、１の権利を記憶した後に保留記憶手段に新たに可変表示を行う権利が記憶され、新たに記憶された権利の数をさらに合算した数が所定数以上になってから特殊演出を実行する（例えば、演出制御用マイクロコンピュータ１００において、予告演出を実行すると決定した時点で保留記憶数が２である場合は、その時点で予告演出を開始せず、始動入賞が発生して保留記憶数が３になったときに（そのときまでに予告演出を実行する変動が開始されていない場合）、保留記憶数に応じた予告演出を実行する）ように構成されていてもよい。なお、特殊演出実行手段は、１の権利を記憶したことによって特殊演出を実行する場合に、該１の権利により行われる可変表示および当該可変表示が開始されるまでに行われる先実行可変表示の回数を合算した数（例えば、予告演出を実行する変動の開始前の保留記憶数）に、再可変表示の実行回数（例えば、再変動の実行回数）をさらに合算した数が所定数（例えば３）未満である場合において、１の権利を記憶した後に保留記憶手段に新たに可変表示を行う権利が記憶され、新たに記憶された権利の数をさらに合算した数が所定数以上になったときに特殊演出を実行するようにしてもよい。
【００１６】
画面設定手段は、特定の可変表示パターン（例えば、スーパーリーチを伴う変動パターン、大当りの変動パターン、確変大当りの変動パターンなど）にもとづく可変表示を行う権利に対応する画面を、特定の可変表示パターン以外の可変表示パターンにもとづく可変表示を行う権利に対応する画面と異なる特殊画面（例えば、図４（４）に示す枠で囲われた画面９３，９４）に設定する特殊画面設定手段（例えば、演出制御用マイクロコンピュータ１００において、図４（４）に示すように大当りの期待度の高いことを示す特殊な画面を設定する演出を実行する部分）を含む構成とされていてもよい。
【００１７】
検出手段が遊技媒体を通過したときに、事前決定手段が特定遊技結果とするか否かを決定するための特定遊技結果決定用乱数（例えば、大当り判定用乱数（ランダムＲ））と、可変表示パターン決定手段が識別情報の可変表示パターンを決定するための可変表示決定用乱数（例えば、大当り種別判定用乱数（ランダム１））とを抽出する抽出手段（例えば、遊技制御用マイクロコンピュータ５６０における始動口スイッチ通過処理において所定の乱数を更新するカウンタから乱数値を抽出する処理を実行する部分）を備え、保留記憶手段は、検出手段が遊技媒体を検出したにもかかわらず可変表示が開始されていない可変表示について、抽出手段が抽出した特定遊技結果決定用乱数と可変表示決定用乱数とを所定の上限数（例えば４）を限度として可変表示を行う権利として記憶し（例えば、保留記憶バッファにランダムＲ，ランダム１を記憶し）、可変表示パターン決定手段は、事前決定手段の決定結果にもとづいて、可変表示決定用乱数と、複数種類の可変表示パターンに対して判定値が割り当てられたテーブルであって可変表示を開始させる際の保留記憶手段が記憶する権利の数に応じて割り当てる判定値が異なる判定値テーブル（例えば、はずれ用変動パターン種別判定テーブル）とを用いて、識別情報の可変表示パターンを決定し（例えば、遊技制御用マイクロコンピュータ５６０における変動パターン設定処理を実行し）、可変表示パターン決定手段による決定前に、検出手段が遊技媒体を検出したことにもとづいて、抽出手段により抽出された可変表示決定用乱数と判定値テーブルとを用いて、識別情報の可変表示パターンが複数種類の可変表示パターンのうちの特定の可変表示パターン（例えば、スーパーリーチを伴う変動パターン）となるか否かを判定する始動判定手段（例えば、遊技制御用マイクロコンピュータ５６０における始動口スイッチ通過処理において変動パターンとしてスーパーリーチを伴う変動パターンとなるか否かを判定する処理を実行する部分）と、始動判定手段によって特定の可変表示パターンとなると判定されたことにもとづいて、当該特定の可変表示パターンとなると判定された識別情報の可変表示が開始される以前に、特定の可変表示パターンとなることを報知する演出（例えば、スーパーリーチの予告を表示する演出）を実行可能である報知実行手段（例えば、演出制御用マイクロコンピュータ１００におけるスーパーリーチの予告を表示する演出を実行する部分）と、をさらに備え、判定値テーブルは、特定の可変表示パターンに対しては、保留記憶手段が記憶する権利の数にかかわらず、共通の判定値が割り当てられ、特定の可変表示パターン以外の可変表示パターンに対しては、保留記憶手段が記憶する権利の数に応じて異なる判定値が割り当てられている（例えば、保留記憶数が０〜２であるか３以上であるかにかかわらず、スーパーリーチを伴う変動パターンを含む変動パターン種別に対して特定の範囲の判定値が割り当てられている。また、スーパーリーチ以外の非リーチやノーマルリーチを伴う変動パターンを含む変動パターン種別に対しては、保留記憶数が０〜２であるか３以上であるかに応じて異なる判定値が割り当てられている）ように構成されていてもよい。
【発明の効果】
【００１８】
請求項１記載の発明では、保留記憶手段に記憶された１の権利により行う可変表示において特定遊技結果とするか否を１の権利による表示結果を導出表示する以前に決定する事前決定手段と、事前決定手段の決定結果に対応して、１の権利が記憶された後、該１の権利により行われる可変表示が開始されるまでに行われる１の権利と別に記憶された権利による１回または複数回の先実行可変表示中に可変表示装置を用いて特殊演出を実行する特殊演出実行手段とを備え、特殊演出実行手段は、可変表示装置において少なくとも１の権利により行われる可変表示および該可変表示が開始されるまでに行われる先実行可変表示の回数を合算した数の画面を設定する画面設定手段と、画面設定手段により設定された各々の画面においてリーチ状態を表示するリーチ状態表示手段と、先実行可変表示を開始する度にリーチ状態から識別情報の可変表示を開始して表示結果を導出表示するリーチ可変表示実行手段とを含む構成とされている。このような構成によれば、事前決定手段（先読み）による判定結果に対応した複数回の可変表示を画面設定手段にて設定した複数の画面で実行することにより、複数回の可変表示に亘って実行される一連の演出の視覚効果を高めつつ、大当りに対する遊技者の期待感を高め、効果的に遊技の興趣を向上させることができる。
【００１９】
請求項２記載の発明では、リーチ可変表示実行手段は、リーチ状態から識別情報の可変表示を開始するときに、該識別情報の可変表示を実行する画面を画面設定手段によって設定された画面から拡大する画面拡大手段を含む構成とされているので、識別情報の表示結果が導出される画面を認識し易くすることができる。
【００２０】
請求項３記載の発明では、保留記憶手段に記憶された１の権利により行う可変表示の可変表示パターンを１の権利による表示結果を導出表示する以前に決定する可変表示パターン決定手段を備え、画面設定手段は、先実行可変表示の可変表示パターンが再可変表示パターンを含む場合、さらに再可変表示の実行回数を合算した数の画面を設定するように構成されているので、複数回の可変表示に亘って実行される一連の演出がより一層賑やかとなり、遊技者の期待感を高め、遊技の興趣を向上させることができる。
【００２１】
請求項４記載の発明では、画面設定手段は、画面を設定した後に保留記憶手段に新たに可変表示を行う権利が記憶された場合、新たに記憶された権利により行われる可変表示に対応する画面を設定するように構成されているので、複数回の可変表示に亘って実行される一連の演出がより一層賑やかとなり、遊技者の期待感を高め、遊技の興趣を向上させることができる。
【００２２】
請求項５記載の発明では、特殊演出実行手段は、１の権利を記憶したことによって特殊演出を実行する場合に、該１の権利により行われる可変表示および当該可変表示が開始されるまでに行われる先実行可変表示の回数を合算した数が所定数未満であるときは、１の権利を記憶した後に保留記憶手段に新たに可変表示を行う権利が記憶され、新たに記憶された権利の数をさらに合算した数が所定数以上になってから特殊演出を実行するように構成されているので、設定される画面の数が少なくて演出効果が低下してしまうのを防止することができる。
【００２３】
請求項６記載の発明では、画面設定手段は、特定の可変表示パターンにもとづく可変表示を行う権利に対応する画面を、特定の可変表示パターン以外の可変表示パターンにもとづく可変表示を行う権利に対応する画面と異なる特殊画面に設定する特殊画面設定手段を含む構成とされているので、より一層、遊技者の期待感を高め、遊技の興趣を向上させることができる。
【００２４】
請求項７記載の発明では、検出手段が遊技媒体を通過したときに、事前決定手段が特定遊技結果とするか否かを決定するための特定遊技結果決定用乱数と、可変表示パターン決定手段が識別情報の可変表示パターンを決定するための可変表示決定用乱数とを抽出する抽出手段を備え、保留記憶手段は、検出手段が遊技媒体を検出したにもかかわらず可変表示が開始されていない可変表示について、抽出手段が抽出した特定遊技結果決定用乱数と可変表示決定用乱数とを所定の上限数を限度として可変表示を行う権利として記憶し、可変表示パターン決定手段は、事前決定手段の決定結果にもとづいて、可変表示決定用乱数と、複数種類の可変表示パターンに対して判定値が割り当てられたテーブルであって可変表示を開始させる際の保留記憶手段が記憶する権利の数に応じて割り当てる判定値が異なる判定値テーブルとを用いて、識別情報の可変表示パターンを決定し、可変表示パターン決定手段による決定前に、検出手段が遊技媒体を検出したことにもとづいて、抽出手段により抽出された可変表示決定用乱数と判定値テーブルとを用いて、識別情報の可変表示パターンが複数種類の可変表示パターンのうちの特定の可変表示パターンとなるか否かを判定する始動判定手段と、始動判定手段によって特定の可変表示パターンとなると判定されたことにもとづいて、当該特定の可変表示パターンとなると判定された識別情報の可変表示が開始される以前に、特定の可変表示パターンとなることを報知する演出を実行可能である報知実行手段とをさらに備え、判定値テーブルは、特定の可変表示パターンに対しては、保留記憶手段が記憶する権利の数にかかわらず、共通の判定値が割り当てられ、特定の可変表示パターン以外の可変表示パターンに対しては、保留記憶手段が記憶する権利の数に応じて異なる判定値が割り当てられているので、保留記憶手段が記憶する権利の数に従って可変表示時間を異ならせることによって、可変表示の作動率が低下してしまう事態を極力防止するようにした場合でも、特定の可変表示パターンとなることを報知する報知演出を一定の割合で確実に実行することができる。
【発明を実施するための最良の形態】
【００２５】
以下、本発明の実施の形態を、図面を参照して説明する。まず、遊技機の一例である遊技機１の全体の構成について説明する。図１は遊技機１を正面からみた正面図である。
【００２６】
遊技機１は、縦長の方形状に形成された外枠（図示せず）と、外枠の内側に開閉可能に取り付けられた遊技枠とで構成される。また、遊技機１は、遊技枠に開閉可能に設けられている額縁状に形成されたガラス扉枠２を有する。遊技枠は、外枠に対して開閉自在に設置される前面枠（図示せず）と、機構部品等が取り付けられる機構板（図示せず）と、それらに取り付けられる種々の部品（後述する遊技盤６を除く）とを含む構造体である。
【００２７】
ガラス扉枠２の下部表面には打球供給皿（上皿）３がある。打球供給皿３の下部には、打球供給皿３に収容しきれない遊技球を貯留する余剰球受皿４や、打球を発射する打球操作ハンドル（操作ノブ）５が設けられている。また、ガラス扉枠２の背面には、遊技盤６が着脱可能に取り付けられている。なお、遊技盤６は、それを構成する板状体と、その板状体に取り付けられた種々の部品とを含む構造体である。また、遊技盤６の前面には、打ち込まれた遊技球が流下可能な遊技領域７が形成されている。
【００２８】
遊技領域７の中央付近には、液晶表示装置（ＬＣＤ）で構成された演出表示装置９が設けられている。演出表示装置９では、特別図柄の可変表示に同期した演出図柄（飾り図柄）の可変表示（変動）が行われる。よって、演出表示装置９は、識別情報としての演出図柄（飾り図柄）の可変表示を行う可変表示装置に相当する。演出表示装置９は、演出制御基板に搭載されている演出制御用マイクロコンピュータによって制御される。演出制御用マイクロコンピュータが、特別図柄表示器８で特別図柄の可変表示が実行されているときに、その可変表示に伴って演出表示装置９で演出表示を実行させるので、遊技の進行状況を把握しやすくすることができる。
【００２９】
遊技盤６における演出表示装置９の上部には、識別情報としての特別図柄を可変表示する特別図柄表示器（可変表示手段）８が設けられている。この実施の形態では、特別図柄表示器８は、０〜９の数字を可変表示可能な簡易で小型の表示器（例えば７セグメントＬＥＤ）で実現されている。すなわち、特別図柄表示器８は、０〜９の数字（または、記号）を可変表示するように構成されている。
【００３０】
特別図柄の可変表示は、可変表示の実行条件である第１始動条件または第２始動条件が成立（例えば、遊技球が第１始動入賞口１３または第２始動入賞口１４に入賞したこと）した後、可変表示の開始条件（例えば、保留記憶数が０でない場合であって、特別図柄の可変表示が実行されていない状態であり、かつ、大当り遊技が実行されていない状態）が成立したことにもとづいて開始され、可変表示時間（変動時間）が経過すると表示結果（停止図柄）を導出表示する。なお、入賞とは、入賞口などのあらかじめ入賞領域として定められている領域に遊技球が入ったことである。また、表示結果を導出表示するとは、図柄（識別情報の例）を最終的に停止表示させることである。
【００３１】
演出表示装置９は、特別図柄表示器８での特別図柄の可変表示時間中に、装飾用（演出用）の図柄としての演出図柄（飾り図柄）の可変表示を行う。特別図柄表示器８における特別図柄の可変表示と、演出表示装置９における演出図柄の可変表示とは同期している。同期とは、可変表示の開始時点および終了時点がほぼ同じ（全く同じでもよい。）であって、可変表示の期間がほぼ同じ（全く同じでもよい。）であることをいう。また、特別図柄表示器８において大当り図柄が停止表示されるときは、演出表示装置９において大当りを想起させるような演出図柄の組み合わせが停止表示される。
【００３２】
演出表示装置９の下方には、第１始動入賞口１３を有する入賞装置が設けられている。第１始動入賞口１３に入賞した遊技球は、遊技盤６の背面に導かれ、第１始動口スイッチ１３ａによって検出される。
【００３３】
また、第１始動入賞口（第１始動口）１３を有する入賞装置の下方には、遊技球が入賞可能な第２始動入賞口１４を有する可変入賞球装置１５が設けられている。第２始動入賞口（第２始動口）１４に入賞した遊技球は、遊技盤６の背面に導かれ、第２始動口スイッチ１４ａによって検出される。可変入賞球装置１５は、ソレノイド１６によって開状態とされる。可変入賞球装置１５が開状態になることによって、遊技球が第２始動入賞口１４に入賞可能になり（始動入賞し易くなり）、遊技者にとって有利な状態になる。可変入賞球装置１５が開状態になっている状態では、第１始動入賞口１３よりも、第２始動入賞口１４に遊技球が入賞しやすい。また、可変入賞球装置１５が閉状態になっている状態では、遊技球は第２始動入賞口１４に入賞しない。なお、可変入賞球装置１５が閉状態になっている状態において、入賞はしづらいものの、入賞することは可能である（すなわち、遊技球が入賞しにくい）ように構成されていてもよい。
【００３４】
以下、第１始動入賞口１３と第２始動入賞口１４とを総称して始動入賞口または始動口ということがある。
【００３５】
可変入賞球装置１５が開放状態に制御されているときには可変入賞球装置１５に向かう遊技球は第２始動入賞口１４に極めて入賞しやすい。そして、第１始動入賞口１３は演出表示装置９の直下に設けられているが、演出表示装置９の下端と第１始動入賞口１３との間の間隔をさらに狭めたり、第１始動入賞口１３の周辺で釘を密に配置したり、第１始動入賞口１３の周辺での釘配列を遊技球を第１始動入賞口１３に導きづらくして、第２始動入賞口１４の入賞率の方を第１始動入賞口１３の入賞率よりもより高くするようにしてもよい。
【００３６】
演出表示装置９の下部には、始動入賞口１３，１４に入った有効入賞球数すなわち保留記憶数（保留記憶を、始動記憶または始動入賞記憶ともいう。）を表示する４つの表示器（例えば、ＬＥＤ）からなる特別図柄保留記憶表示器１８が設けられている。特別図柄保留記憶表示器１８は、有効始動入賞がある毎に、点灯する表示器の数を１増やす。そして、特別図柄表示器８での可変表示が開始される毎に、点灯する表示器の数を１減らす。
【００３７】
なお、この実施の形態では、図１に示すように、第２始動入賞口１４に対してのみ開閉動作を行う可変入賞球装置１５が設けられているが、第１始動入賞口１３および第２始動入賞口１４のいずれについても開閉動作を行う可変入賞球装置が設けられている構成であってもよい。
【００３８】
また、図１に示すように、可変入賞球装置１５の下方には、特別可変入賞球装置２０が設けられている。特別可変入賞球装置２０は開閉板を備え、特別図柄表示器に特定表示結果（大当り図柄）が導出表示されたときに特定表示結果（大当り図柄）が導出表示されたときに生起する特定遊技状態（大当り遊技状態）においてソレノイド２１によって開閉板が開放状態に制御されることによって、入賞領域となる大入賞口が開放状態になる。大入賞口に入賞した遊技球はカウントスイッチ２３で検出される。
【００３９】
特別図柄表示器８の下部には、普通図柄表示器１０が設けられている。普通図柄表示器１０は、普通図柄と呼ばれる複数種類の識別情報（例えば、「○」および「×」）を可変表示する。
【００４０】
遊技球がゲート３２を通過しゲートスイッチ３２ａで検出されると、普通図柄表示器１０の表示の可変表示が開始される。この実施の形態では、上下のランプ（点灯時に図柄が視認可能になる）が交互に点灯することによって可変表示が行われ、例えば、可変表示の終了時に下側のランプが点灯すれば当りとなる。そして、普通図柄表示器１０における停止図柄が所定の図柄（当り図柄）である場合に、可変入賞球装置１５が所定回数、所定時間だけ開状態になる。すなわち、可変入賞球装置１５の状態は、普通図柄の停止図柄が当り図柄である場合に、遊技者にとって不利な状態から有利な状態（第２始動入賞口１４に遊技球が入賞可能な状態）に変化する。普通図柄表示器１０の近傍には、ゲート３２を通過した入賞球数を表示する４つの表示器（例えば、ＬＥＤ）を有する普通図柄保留記憶表示器４１が設けられている。ゲート３２への遊技球の通過がある毎に、すなわちゲートスイッチ３２ａによって遊技球が検出される毎に、普通図柄保留記憶表示器４１は点灯する表示器を１増やす。そして、普通図柄表示器１０の可変表示が開始される毎に、点灯する表示器を１減らす。さらに、通常状態に比べて大当りとすることに決定される確率が高い状態である確変状態では、普通図柄表示器１０における停止図柄が当り図柄になる確率が高められるとともに、可変入賞球装置１５の開放時間が長くなり、かつ、開放回数が増加される。すなわち、遊技球が始動入賞しやすくなる（つまり、特別図柄表示器８や演出表示装置９における可変表示の実行条件が成立しやすくなる）ように制御された遊技状態である高ベース状態に移行する。また、この実施の形態では、時短状態（特別図柄の可変表示時間が短縮される遊技状態）においても、可変入賞球装置１５の開放時間が長くなり、かつ、開放回数が増加される。
【００４１】
なお、可変入賞球装置１５が開状態となる時間を延長する（開放延長状態ともいう）のでなく、普通図柄表示器１０における停止図柄が当り図柄になる確率が高められる普通図柄確変状態に移行することによって、高ベース状態に移行してもよい。普通図柄表示器１０における停止図柄が所定の図柄（当り図柄）となると、可変入賞球装置１５が所定回数、所定時間だけ開状態になる。この場合、普通図柄確変状態に移行制御することによって、普通図柄表示器１０における停止図柄が当り図柄になる確率が高められ、可変入賞球装置１５が開状態となる頻度が高まる。従って、普通図柄確変状態に移行すれば、可変入賞球装置１５の開放時間と開放回数が高められ、始動入賞しやすい状態（高ベース状態）となる。すなわち、可変入賞球装置１５の開放時間と開放回数は、普通図柄の停止図柄が当り図柄であったり、特別図柄の停止図柄が確変図柄である場合等に高められ、遊技者にとって不利な状態から有利な状態（始動入賞しやすい状態）に変化する。なお、開放回数が高められることは、閉状態から開状態になることも含む概念である。
【００４２】
また、普通図柄表示器１０における普通図柄の変動時間（可変表示期間）が短縮される普通図柄時短状態に移行することによって、高ベース状態に移行してもよい。普通図柄時短状態では、普通図柄の変動時間が短縮されるので、普通図柄の変動が開始される頻度が高くなり、結果として普通図柄が当りとなる頻度が高くなる。従って、普通図柄が当りとなる頻度が高くなることによって、可変入賞球装置１５が開状態となる頻度が高くなり、始動入賞しやすい状態（高ベース状態）となる。
【００４３】
また、特別図柄や演出図柄の変動時間（可変表示期間）が短縮される時短状態に移行することによって、特別図柄や演出図柄の変動時間が短縮されるので、有効な始動入賞が発生しやすくなり大当り遊技が行われる可能性が高まる。
【００４４】
さらに、上記に示した全ての状態（開放延長状態、普通図柄確変状態、普通図柄時短状態および特別図柄時短状態）に移行させることによって、始動入賞しやすくなる（高ベース状態に移行する）ようにしてもよい。また、上記に示した各状態（開放延長状態、普通図柄確変状態、普通図柄時短状態および特別図柄時短状態）のうちのいずれか複数の状態に移行させることによって、始動入賞しやすくなる（高ベース状態に移行する）ようにしてもよい。
【００４５】
遊技盤６の遊技領域７の左右周辺には、遊技中に点滅表示される装飾ＬＥＤ２５が設けられ、下部には、入賞しなかった打球が取り込まれるアウト口２６がある。また、遊技領域７の外側の左右上部には、所定の音声出力として効果音や音声を発声する２つのスピーカ２７Ｒ，２７Ｌが設けられている。遊技領域７の外周上部、外周左部および外周右部には、前面枠に設けられた天枠ＬＥＤ２８ａ、左枠ＬＥＤ２８ｂおよび右枠ＬＥＤ２８ｃが設けられている。天枠ＬＥＤ２８ａ、左枠ＬＥＤ２８ｂおよび右枠ＬＥＤ２８ｃおよび装飾用ＬＥＤ２５は、遊技機１に設けられている演出用の発光体の一例である。なお、上述した演出用（装飾用）の各種ＬＥＤの他にも演出のためのＬＥＤやランプが設置されている。
【００４６】
打球供給皿３を構成する部材においては、遊技者により操作可能な操作手段としての操作ボタン１２０が設けられている。操作ボタン１２０には、遊技者が押圧操作をすることが可能な押しボタンスイッチが設けられている。なお、操作ボタン１２０は、遊技者による押圧操作が可能な押しボタンスイッチが設けられているだけでなく、遊技者による回転操作が可能なダイヤルも設けられている。遊技者は、ダイヤルを回転操作することによって、所定の選択（例えば演出の選択）を行うことができる。
【００４７】
遊技機には、遊技者が打球操作ハンドル５を操作することに応じて駆動モータを駆動し、駆動モータの回転力を利用して遊技球を遊技領域７に発射する打球発射装置（図示せず）が設けられている。打球発射装置から発射された遊技球は、遊技領域７を囲むように円形状に形成された打球レールを通って遊技領域７に入り、その後、遊技領域７を下りてくる。遊技球が第１始動入賞口１３に入り第１始動口スイッチ１３ａで検出され、または第２始動入賞口１４に入り第２始動入賞口１４ａで検出されると、特別図柄の可変表示を開始できる状態であれば（例えば、特別図柄の可変表示が終了し、開始条件が成立したこと）、特別図柄表示器８において特別図柄の可変表示（変動）が開始されるとともに、演出表示装置９において演出図柄（飾り図柄）の可変表示が開始される。特別図柄の可変表示を開始できる状態でなければ、保留記憶数が上限値に達していないことを条件として、保留記憶数を１増やす。
【００４８】
図２は、主基板（遊技制御基板）３１における回路構成の一例を示すブロック図である。なお、図２には、払出制御基板３７および演出制御基板８０等も示されている。主基板３１には、プログラムに従って遊技機１を制御する遊技制御用マイクロコンピュータ（遊技制御手段に相当）５６０が搭載されている。遊技制御用マイクロコンピュータ５６０は、ゲーム制御（遊技進行制御）用のプログラム等を記憶するＲＯＭ５４、ワークメモリとして使用される記憶手段としてのＲＡＭ５５、プログラムに従って制御動作を行うＣＰＵ５６およびＩ／Ｏポート部５７を含む。この実施の形態では、ＲＯＭ５４およびＲＡＭ５５は遊技制御用マイクロコンピュータ５６０に内蔵されている。すなわち、遊技制御用マイクロコンピュータ５６０は、１チップマイクロコンピュータである。１チップマイクロコンピュータには、少なくともＣＰＵ５６のほかＲＡＭ５５が内蔵されていればよく、ＲＯＭ５４は外付けであっても内蔵されていてもよい。また、Ｉ／Ｏポート部５７は、外付けであってもよい。遊技制御用マイクロコンピュータ５６０には、さらに、ハードウェア乱数（ハードウェア回路が発生する乱数）を発生する乱数回路５０３が内蔵されている。
【００４９】
なお、遊技制御用マイクロコンピュータ５６０においてＣＰＵ５６がＲＯＭ５４に格納されているプログラムに従って制御を実行するので、以下、遊技制御用マイクロコンピュータ５６０（またはＣＰＵ５６）が実行する（または、処理を行う）ということは、具体的には、ＣＰＵ５６がプログラムに従って制御を実行することである。このことは、主基板３１以外の他の基板に搭載されているマイクロコンピュータについても同様である。
【００５０】
乱数回路５０３は、特別図柄の可変表示の表示結果により大当りとするか否か判定するための判定用の乱数を発生するために用いられるハードウェア回路である。乱数回路５０３は、初期値（例えば、０）と上限値（例えば、６５５３５）とが設定された数値範囲内で、数値データを、設定された更新規則に従って更新し、ランダムなタイミングで発生する始動入賞時が数値データの読出（抽出）時であることにもとづいて、読出される数値データが乱数値となる乱数発生機能を有する。
【００５１】
乱数回路５０３は、数値データの更新範囲の選択設定機能（初期値の選択設定機能、および、上限値の選択設定機能）、数値データの更新規則の選択設定機能、および数値データの更新規則の選択切換え機能等の各種の機能を有する。このような機能によって、生成する乱数のランダム性を向上させることができる。
【００５２】
また、遊技制御用マイクロコンピュータ５６０は、乱数回路５０３が更新する数値データの初期値を設定する機能を有している。例えば、ＲＯＭ５４等の所定の記憶領域に記憶された遊技制御用マイクロコンピュータ５６０のＩＤナンバ（遊技制御用マイクロコンピュータ５６０の各製品ごとに異なる数値で付与されたＩＤナンバ）を用いて所定の演算を行なって得られた数値データを、乱数回路５０３が更新する数値データの初期値として設定する。そのような処理を行うことによって、乱数回路５０３が発生する乱数のランダム性をより向上させることができる。
【００５３】
遊技制御用マイクロコンピュータ５６０は、第１始動口スイッチ１３ａまたは第２始動口スイッチ１４ａへの始動入賞が生じたときに乱数回路５０３から数値データをランダムＲとして読み出し、特別図柄および演出図柄の変動開始時にランダムＲにもとづいて特定の表示結果としての大当り表示結果にするか否か、すなわち、大当りとするか否かを決定する。そして、大当りとすると決定したときに、遊技状態を遊技者にとって有利な特定遊技状態としての大当り遊技状態に移行させる。
【００５４】
また、ＲＡＭ５５は、その一部または全部が電源基板において作成されるバックアップ電源によってバックアップされている不揮発性記憶手段としてのバックアップＲＡＭである。すなわち、遊技機に対する電力供給が停止しても、所定期間（バックアップ電源としてのコンデンサが放電してバックアップ電源が電力供給不能になるまで）は、ＲＡＭ５５の一部または全部の内容は保存される。特に、少なくとも、遊技状態すなわち遊技制御手段の制御状態に応じたデータ（特別図柄プロセスフラグや保留記憶数カウンタの値など）と未払出賞球数を示すデータは、バックアップＲＡＭに保存される。遊技制御手段の制御状態に応じたデータとは、停電等が生じた後に復旧した場合に、そのデータにもとづいて、制御状態を停電等の発生前に復旧させるために必要なデータである。また、制御状態に応じたデータと未払出賞球数を示すデータとを遊技の進行状態を示すデータと定義する。なお、この実施の形態では、ＲＡＭ５５の全部が、電源バックアップされているとする。
【００５５】
遊技制御用マイクロコンピュータ５６０のリセット端子には、電源基板からのリセット信号（図示せず）が入力される。電源基板には、遊技制御用マイクロコンピュータ５６０等に供給されるリセット信号を生成するリセット回路が搭載されている。なお、リセット信号がハイレベルになると遊技制御用マイクロコンピュータ５６０等は動作可能状態になり、リセット信号がローレベルになると遊技制御用マイクロコンピュータ５６０等は動作停止状態になる。従って、リセット信号がハイレベルである期間は、遊技制御用マイクロコンピュータ５６０等の動作を許容する許容信号が出力されていることになり、リセット信号がローレベルである期間は、遊技制御用マイクロコンピュータ５６０等の動作を停止させる動作停止信号が出力されていることになる。なお、リセット回路をそれぞれの電気部品制御基板（電気部品を制御するためのマイクロコンピュータが搭載されている基板）に搭載してもよい。
【００５６】
さらに、遊技制御用マイクロコンピュータ５６０の入力ポートには、電源基板からの電源電圧が所定値以下に低下したことを示す電源断信号が入力される。すなわち、電源基板には、遊技機において使用される所定電圧（例えば、ＤＣ３０ＶやＤＣ５Ｖなど）の電圧値を監視して、電圧値があらかじめ定められた所定値にまで低下すると（電源電圧の低下を検出すると）、その旨を示す電源断信号を出力する電源監視回路が搭載されている。また、遊技制御用マイクロコンピュータ５６０の入力ポートには、ＲＡＭの内容をクリアすることを指示するためのクリアスイッチが操作されたことを示すクリア信号（図示せず）が入力される。
【００５７】
また、ゲートスイッチ３２ａ、第１始動口スイッチ１３ａ、第２始動口スイッチ１４ａおよびカウントスイッチ２３からの検出信号を遊技制御用マイクロコンピュータ５６０に与える入力ドライバ回路５８も主基板３１に搭載されている。また、可変入賞球装置１５を開閉するソレノイド１６、および大入賞口を形成する特別可変入賞球装置２０を開閉するソレノイド２１を遊技制御用マイクロコンピュータ５６０からの指令に従って駆動する出力回路５９も主基板３１に搭載されている。さらに、大当り遊技状態の発生を示す大当り情報等の情報出力信号をホールコンピュータ等の外部装置に対して出力する情報出力回路（図示せず）も主基板３１に搭載されている。
【００５８】
この実施の形態では、演出制御基板８０に搭載されている演出制御手段（演出制御用マイクロコンピュータで構成される。）が、中継基板７７を介して遊技制御用マイクロコンピュータ５６０から演出内容を指示する演出制御コマンドを受信し、演出図柄を可変表示する演出表示装置９との表示制御を行う。
【００５９】
図３は、中継基板７７、演出制御基板８０、ランプドライバ基板３５および音声出力基板７０の回路構成例を示すブロック図である。なお、図３に示す例では、ランプドライバ基板３５および音声出力基板７０には、マイクロコンピュータは搭載されていないが、マイクロコンピュータを搭載してもよい。また、ランプドライバ基板３５および音声出力基板７０を設けずに、演出制御に関して演出制御基板８０のみを設けてもよい。
【００６０】
演出制御基板８０は、演出制御用ＣＰＵ１０１およびＲＡＭを含む演出制御用マイクロコンピュータ１００を搭載している。なお、ＲＡＭは外付けであってもよい。演出制御基板８０において、演出制御用ＣＰＵ１０１は、内蔵または外付けのＲＯＭ（図示せず）に格納されたプログラムに従って動作し、中継基板７７を介して入力される主基板３１からの取込信号（演出制御ＩＮＴ信号）に応じて、入力ドライバ１０２および入力ポート１０３を介して演出制御コマンドを受信する。また、演出制御用ＣＰＵ１０１は、演出制御コマンドにもとづいて、ＶＤＰ（ビデオディスプレイプロセッサ）１０９に演出表示装置９の表示制御を行わせる。
【００６１】
この実施の形態では、演出制御用マイクロコンピュータ１００と共動して演出表示装置９の表示制御を行うＶＤＰ１０９が演出制御基板８０に搭載されている。ＶＤＰ１０９は、演出制御用マイクロコンピュータ１００とは独立したアドレス空間を有し、そこにＶＲＡＭをマッピングする。ＶＲＡＭは、ＶＤＰによって生成された画像データを展開するためのバッファメモリである。そして、ＶＤＰ１０９は、ＶＲＡＭ内の画像データを演出表示装置９に出力する。
【００６２】
演出制御用ＣＰＵ１０１は、受信した演出制御コマンドに従ってキャラクタＲＯＭ（図示せず）から必要なデータを読み出す。キャラクタＲＯＭは、演出表示装置９に表示されるキャラクタ画像データ、具体的には、人物、文字、図形または記号等（演出図柄を含む）をあらかじめ格納しておくためのものである。演出制御用ＣＰＵ１０１は、キャラクタＲＯＭから読み出したデータをＶＤＰ１０９に出力する。ＶＤＰ１０９は、演出制御用ＣＰＵ１０１から入力されたデータにもとづいて表示制御を実行する。
【００６３】
演出制御コマンドおよび演出制御ＩＮＴ信号は、演出制御基板８０において、まず、入力ドライバ１０２に入力する。入力ドライバ１０２は、中継基板７７から入力された信号を演出制御基板８０の内部に向かう方向にしか通過させない（演出制御基板８０の内部から中継基板７７への方向には信号を通過させない）信号方向規制手段としての単方向性回路でもある。
【００６４】
中継基板７７には、主基板３１から入力された信号を演出制御基板８０に向かう方向にしか通過させない（演出制御基板８０から中継基板７７への方向には信号を通過させない）信号方向規制手段としての単方向性回路７４が搭載されている。単方向性回路として、例えばダイオードやトランジスタが使用される。図３には、ダイオードが例示されている。また、単方向性回路は、各信号毎に設けられる。さらに、単方向性回路である出力ポート５７１を介して主基板３１から演出制御コマンドおよび演出制御ＩＮＴ信号が出力されるので、中継基板７７から主基板３１の内部に向かう信号が規制される。すなわち、中継基板７７からの信号は主基板３１の内部（遊技制御用マイクロコンピュータ５６０側）に入り込まない。なお、出力ポート５７１は、図２に示されたＩ／Ｏポート部５７の一部である。また、出力ポート５７１の外側（中継基板７７側）に、さらに、単方向性回路である信号ドライバ回路が設けられていてもよい。
【００６５】
また、演出制御用ＣＰＵ１０１は、入力ポート１０６を介して、遊技者による操作ボタン１２０の押圧操作に応じて操作ボタン１２０からの信号を入力する。
【００６６】
さらに、演出制御用ＣＰＵ１０１は、出力ポート１０５を介してランプドライバ基板３５に対してＬＥＤを駆動する信号を出力する。また、演出制御用ＣＰＵ１０１は、出力ポート１０４を介して音声出力基板７０に対して音番号データを出力する。
【００６７】
ランプドライバ基板３５において、ＬＥＤを駆動する信号は、入力ドライバ３５１を介してＬＥＤドライバ３５２に入力される。ＬＥＤドライバ３５２は、駆動信号を天枠ＬＥＤ２８ａ、左枠ＬＥＤ２８ｂ、右枠ＬＥＤ２８ｃなどの枠側に設けられている各ＬＥＤに供給する。また、遊技盤側に設けられている装飾ＬＥＤ２５に駆動信号を供給する。なお、ＬＥＤ以外の発光体が設けられている場合には、それを駆動する駆動回路（ドライバ）がランプドライバ基板３５に搭載される。
【００６８】
音声出力基板７０において、音番号データは、入力ドライバ７０２を介して音声合成用ＩＣ７０３に入力される。音声合成用ＩＣ７０３は、音番号データに応じた音声や効果音を発生し増幅回路７０５に出力する。増幅回路７０５は、音声合成用ＩＣ７０３の出力レベルを、ボリューム７０６で設定されている音量に応じたレベルに増幅した音声信号をスピーカ２７Ｒ，２７Ｌに出力する。音声データＲＯＭ７０４には、音番号データに応じた制御データが格納されている。音番号データに応じた制御データは、所定期間（例えば演出図柄の変動期間）における効果音または音声の出力態様を時系列的に示すデータの集まりである。
【００６９】
次に、遊技機の動作について説明する。遊技機に対して電源が投入され電力供給が開始されると、リセット信号が入力されるリセット端子の入力レベルがハイレベルになり、遊技制御用マイクロコンピュータ５６０（具体的には、ＣＰＵ５６）は、プログラムの内容が正当か否か確認するための処理であるセキュリティチェック処理を実行した後、メイン処理を開始する。メイン処理において、ＣＰＵ５６は、まず、必要な初期設定を行う。
【００７０】
次いで、ＣＰＵ５６は、入力ポートを介して入力されるクリアスイッチ（例えば、電源基板に搭載されている。）の出力信号（クリア信号）の状態を確認する。その確認においてオンを検出した場合には、ＣＰＵ５６は、通常の初期化処理を実行する。
【００７１】
クリアスイッチがオンの状態でない場合には、遊技機への電力供給が停止したときにバックアップＲＡＭ領域のデータ保護処理（例えばパリティデータの付加等の電力供給停止時処理）が行われたか否か確認する。そのような保護処理が行われていないことを確認したら、ＣＰＵ５６は初期化処理を実行する。バックアップＲＡＭ領域にバックアップデータがあるか否かは、例えば、電力供給停止時処理においてバックアップＲＡＭ領域に設定されるバックアップフラグの状態によって確認される。
【００７２】
電力供給停止時処理が行われたことを確認したら、ＣＰＵ５６は、バックアップＲＡＭ領域のデータチェックを行う。この実施の形態では、データチェックとしてパリティチェックを行う。よって、この処理では、算出したチェックサムと、電力供給停止時処理で同一の処理によって算出され保存されているチェックサムとを比較する。不測の停電等の電力供給停止が生じた後に復旧した場合には、バックアップＲＡＭ領域のデータは保存されているはずであるから、チェック結果（比較結果）は正常（一致）になる。チェック結果が正常でないということは、バックアップＲＡＭ領域のデータが、電力供給停止時のデータとは異なっていることを意味する。そのような場合には、内部状態を電力供給停止時の状態に戻すことができないので、電力供給の停止からの復旧時でない電源投入時に実行される初期化処理を実行する。
【００７３】
チェック結果が正常であれば、ＣＰＵ５６は、遊技制御手段の内部状態と演出制御手段等の電気部品制御手段の制御状態を電力供給停止時の状態に戻すための遊技状態復旧処理を行う。
【００７４】
なお、この実施の形態では、バックアップフラグとチェックデータとの双方を用いてバックアップＲＡＭ領域のデータが保存されているか否か確認しているが、いずれか一方のみを用いてもよい。すなわち、バックアップフラグとチェックデータとのいずれかを、遊技状態復旧処理を実行するための契機としてもよい。
【００７５】
また、ＣＰＵ５６は、乱数回路５０３を初期設定する乱数回路設定処理を実行する。ＣＰＵ５６は、例えば、乱数回路設定プログラムに従って処理を実行することによって、乱数回路５０３にランダムＲの値を更新させるための設定を行う。
【００７６】
そして、ＣＰＵ５６は、所定時間（例えば２ｍｓ）毎に定期的にタイマ割込がかかるように遊技制御用マイクロコンピュータ５６０に内蔵されているＣＴＣのレジスタの設定を行なう。すなわち、初期値として例えば２ｍｓに相当する値が所定のレジスタ（時間定数レジスタ）に設定される。この実施の形態では、２ｍｓ毎に定期的にタイマ割込がかかるとする。
【００７７】
初期化処理の実行が完了すると、ＣＰＵ５６は、メイン処理で、表示用乱数更新処理および初期値用乱数更新処理を繰り返し実行する。表示用乱数更新処理および初期値用乱数更新処理を実行するときには割込禁止状態に設定し、表示用乱数更新処理および初期値用乱数更新処理の実行が終了すると割込許可状態に設定する。この実施の形態では、表示用乱数とは、大当りとしない場合の特別図柄の停止図柄を決定するための乱数や大当りとしない場合にリーチとするか否かを決定するための乱数であり、表示用乱数更新処理とは、表示用乱数を発生するためのカウンタのカウント値を更新する処理である。また、初期値用乱数更新処理とは、初期値用乱数を発生するためのカウンタのカウント値を更新する処理である。この実施の形態では、初期値用乱数とは、普通図柄に関して当りとするか否か決定するための乱数を発生するためのカウンタ（普通図柄当り判定用乱数発生カウンタ）のカウント値の初期値を決定するための乱数である。後述する遊技の進行を制御する遊技制御処理（遊技制御用マイクロコンピュータ５６０が、遊技機に設けられている演出表示装置、可変入賞球装置、球払出装置等の遊技用の装置を、自身で制御する処理、または他のマイクロコンピュータに制御させるために指令信号を送信する処理、遊技装置制御処理ともいう）において、普通図柄当り判定用乱数のカウント値が１周（普通図柄当り判定用乱数の取りうる値の最小値から最大値までの間の数値の個数分歩進したこと）すると、そのカウンタに初期値が設定される。
【００７８】
なお、この実施の形態では、リーチ演出は、演出表示装置９において可変表示される演出図柄（飾り図柄）を用いて実行される。また、特別図柄の表示結果を大当り図柄にする場合には、リーチ演出は常に実行される。特別図柄の表示結果を大当り図柄にしない場合には、遊技制御用マイクロコンピュータ５６０は、乱数を用いた抽選によって、リーチ演出を実行するか否か決定する。ただし、実際にリーチ演出の制御を実行するのは、演出制御用マイクロコンピュータ１００である。
【００７９】
タイマ割込が発生すると、ＣＰＵ５６は、タイマ割込処理を実行する。タイマ割込処理において、まず、電源断信号が出力されたか否か（オン状態になったか否か）を検出する電源断検出処理を実行する。電源断信号は、例えば電源基板に搭載されている電源監視回路が、遊技機に供給される電源の電圧の低下を検出した場合に出力する。そして、電源断検出処理において、ＣＰＵ５６は、電源断信号が出力されたことを検出したら、必要なデータをバックアップＲＡＭ領域に保存するための電力供給停止時処理を実行する。次いで、入力ドライバ回路５８を介して、ゲートスイッチ３２ａ、第１始動口スイッチ１３ａ、第２始動口スイッチ１４ａおよびカウントスイッチ２３の検出信号を入力し、それらの状態判定を行う（スイッチ処理）。
【００８０】
次に、ＣＰＵ５６は、特別図柄表示器８、普通図柄表示器１０、特別図柄保留記憶表示器１８、普通図柄保留記憶表示器４１の表示制御を行う表示制御処理を実行する。
【００８１】
また、遊技制御に用いられる普通図柄当り判定用乱数等の各判定用乱数を生成するための各カウンタのカウント値を更新する処理を行う（判定用乱数更新処理）。ＣＰＵ５６は、さらに、初期値用乱数および表示用乱数を生成するためのカウンタのカウント値を更新する処理を行う（初期値用乱数更新処理，表示用乱数更新処理）。
【００８２】
さらに、ＣＰＵ５６は、特別図柄プロセス処理を行う。特別図柄プロセス処理では、特別図柄表示器８および大入賞口を所定の順序で制御するための特別図柄プロセスフラグに従って該当する処理を実行する。ＣＰＵ５６は、特別図柄プロセスフラグの値を、遊技状態に応じて更新する。
【００８３】
次いで、普通図柄プロセス処理を行う。普通図柄プロセス処理では、ＣＰＵ５６は、普通図柄表示器１０の表示状態を所定の順序で制御するための普通図柄プロセスフラグに従って該当する処理を実行する。ＣＰＵ５６は、普通図柄プロセスフラグの値を、遊技状態に応じて更新する。
【００８４】
また、ＣＰＵ５６は、演出制御用マイクロコンピュータ１００に演出制御コマンドを送出する処理を行う（演出制御コマンド制御処理）。
【００８５】
さらに、ＣＰＵ５６は、例えばホール管理用コンピュータに供給される大当り情報、始動情報、確率変動情報などのデータを出力する情報出力処理を行う。
【００８６】
また、ＣＰＵ５６は、第１始動口スイッチ１３ａ、第２始動口スイッチ１４ａおよびカウントスイッチ２３の検出信号にもとづく賞球個数の設定などを行う賞球処理を実行する。具体的には、第１始動口スイッチ１３ａ、第２始動口スイッチ１４ａおよびカウントスイッチ２３のいずれかがオンしたことにもとづく入賞検出に応じて、払出制御基板３７に搭載されている払出制御用マイクロコンピュータに賞球個数を示す払出制御コマンド（賞球個数信号）を出力する。払出制御用マイクロコンピュータは、賞球個数を示す払出制御コマンドに応じて球払出装置９７を駆動する。
【００８７】
この実施の形態では、出力ポートの出力状態に対応したＲＡＭ領域（出力ポートバッファ）が設けられているのであるが、ＣＰＵ５６は、出力ポートの出力状態に対応したＲＡＭ領域におけるソレノイドのオン／オフに関する内容を出力ポートに出力する（出力処理）。
【００８８】
また、ＣＰＵ５６は、特別図柄プロセスフラグの値に応じて特別図柄の演出表示を行うための特別図柄表示制御データを特別図柄表示制御データ設定用の出力バッファに設定する特別図柄表示制御処理を行う。
【００８９】
さらに、ＣＰＵ５６は、普通図柄プロセスフラグの値に応じて普通図柄の演出表示を行うための普通図柄表示制御データを普通図柄表示制御データ設定用の出力バッファに設定する普通図柄表示制御処理を行う。
【００９０】
その後、割込許可状態に設定し、処理を終了する。
【００９１】
以上の制御によって、この実施の形態では、タイマ割込処理で遊技制御処理が２ｍｓ毎に起動されることになる。なお、この実施の形態では、タイマ割込処理で遊技制御処理が実行されているが、タイマ割込処理では例えば割込が発生したことを示すフラグのセットのみがなされ、遊技制御処理はメイン処理において実行されるようにしてもよい。
【００９２】
特別図柄表示器８および演出表示装置９にはずれ図柄が停止表示される場合には、演出図柄の可変表示が開始されてから、演出図柄の可変表示状態がリーチ状態にならずに、リーチにならない所定の演出図柄の組み合わせが停止表示されることがある。このような演出図柄の可変表示態様を、可変表示結果がはずれ図柄になる場合における「非リーチ」（「通常はずれ」ともいう）の可変表示態様という。
【００９３】
特別図柄表示器８および演出表示装置９にはずれ図柄が停止表示される場合には、演出図柄の可変表示が開始されてから、演出図柄の可変表示状態がリーチ状態となった後にリーチ演出が実行され、最終的に大当り図柄とはならない所定の演出図柄の組み合わせが停止表示されることがある。このような演出図柄の可変表示結果を、可変表示結果が「はずれ」となる場合における「リーチ」（「リーチはずれ」ともいう）の可変表示態様という。
【００９４】
この実施の形態では、特別図柄表示器８に大当り図柄が停止表示される場合には、演出図柄の可変表示状態がリーチ状態になった後にリーチ演出が実行され、最終的に演出表示装置９における「左」、「中」、「右」の各図柄表示エリア９Ｌ、９Ｃ、９Ｒに、演出図柄が揃って停止表示される。
【００９５】
特別図柄表示器８に小当りである「５」が停止表示される場合には、演出表示装置９において、演出図柄の可変表示態様が「突然確変大当り」である場合と同様に演出図柄の可変表示が行われた後、所定の小当り図柄（突然確変大当り図柄と同じ図柄。例えば「１３５」）が停止表示されることがある。特別図柄表示器８に小当り図柄である「５」が停止表示されることに対応する演出表示装置９における表示演出を「小当り」の可変表示態様という。
【００９６】
ここで、小当りとは、大当りと比較して大入賞口の開放回数が少ない回数（この実施の形態では０．１秒間の開放を２回）まで許容される当りである。なお、小当り遊技が終了した場合、遊技状態は変化しない。すなわち、確変状態から通常状態に移行したり通常状態から確変状態に移行したりすることはない。また、突然確変大当りとは、大当り遊技状態において大入賞口の開放回数が少ない回数（この実施の形態では０．１秒間の開放を２回）まで許容されるが大入賞口の開放時間が極めて短い大当りであり、かつ、大当り遊技後の遊技状態を確変状態に移行させるような大当りである（すなわち、そのようにすることにより、遊技者に対して突然に確変状態となったかのように見せるものである）。つまり、この実施の形態では、突然確変大当りと小当りとは、大入賞口の開放パターンが同じである。そのように制御することによって、大入賞口の０．１秒間の開放が２回行われると、突然確変大当りであるか小当りであるかまでは認識できないので、遊技者に対して高確率状態（確変状態）を期待させることができ、遊技の興趣を向上させることができる。
【００９７】
この実施の形態では、あらかじめ演出図柄の変動パターンとして複数種類の演出パターンが用意されている。可変表示結果が「はずれ」であり演出図柄の可変表示態様が「非リーチ」である場合に対応した変動パターンや、可変表示結果が「はずれ」であり演出図柄の可変表示態様が「リーチ」である場合に対応した変動パターンが複数用意されている。なお、リーチしない場合に使用され擬似連の演出を伴う変動パターン（演出図柄の可変表示が開始されてから表示結果が導出表示されるまでに一旦所定表示結果（仮停止図柄）を仮停止させた後に全ての図柄について可変表示を再度実行する再可変表示（再変動）を１回または複数回実行する変動パターン）として、再変動が１回行われる変動パターンが用意されている。リーチする場合に使用され擬似連の演出を伴う変動パターンとして、再変動が１回、２回または３回行われる変動パターンが用意されている。
【００９８】
また、特別図柄の可変表示結果が大当り図柄または小当り図柄になる場合に対応した変動パターンが複数用意されている。なお、突然確変大当りまたは小当りとなる場合に使用される変動パターンとして特殊な演出態様の変動パターンも用意されている。また、突然確変大当りまたは小当りでない場合に使用され擬似連の演出を伴う変動パターンとして、再変動が１回、２回または３回行われる変動パターンが用意されている。また、突然確変大当りまたは小当りの場合に使用され擬似連の演出を伴う変動パターンとして、再変動が２回行われる変動パターンが用意されている。
【００９９】
この実施の形態では、以下の乱数が使用される。
（１）ランダム１（ＭＲ１）：大当りの種類（後述する通常大当り、確変大当り、突然確変大当り）を決定する（大当り種別判定用）
（２）ランダム２（ＭＲ２）：変動パターンの種類（種別）を決定する（変動パターン種別判定用）
（３）ランダム３（ＭＲ３）：変動パターン（変動時間）を決定する（変動パターン判定用）
（４）ランダム４（ＭＲ４）：普通図柄にもとづく当りを発生させるか否か決定する（普通図柄当り判定用）
（５）ランダム５（ＭＲ５）：ランダム４の初期値を決定する（ランダム４初期値決定用）
【０１００】
なお、この実施の形態では、変動パターンは、まず、変動パターン種別判定用乱数（ランダム２）を用いて変動パターン種別を決定し、変動パターン判定用乱数（ランダム３）を用いて、決定した変動パターン種別に含まれるいずれかの変動パターンに決定する。そのように、この実施の形態では、２段階の抽選処理によって変動パターンが決定される。
【０１０１】
なお、変動パターン種別とは、複数の変動パターンをその変動態様の特徴に従ってグループ化したものである。例えば、複数の変動パターンをリーチの種類でグループ化して、ノーマルリーチを伴う変動パターンを含む変動パターン種別と、スーパーリーチＡを伴う変動パターンを含む変動パターン種別と、スーパーリーチＢを伴う変動パターンを含む変動パターン種別とに分けてもよい。また、例えば、複数の変動パターンを擬似連の再変動の回数でグループ化して、擬似連を伴わない変動パターンを含む変動パターン種別と、再変動１回の変動パターンを含む変動パターン種別と、再変動２回の変動パターンを含む変動パターン種別と、再変動３回の変動パターンを含む変動パターン種別とに分けてもよい。また、例えば、複数の変動パターンを擬似連や滑り演出などの特定演出の有無でグループ化してもよい。
【０１０２】
遊技制御処理では、遊技制御用マイクロコンピュータ５６０は、（１）の大当り種別判定用乱数、および（４）の普通図柄当り判定用乱数を生成するためのカウンタのカウントアップ（１加算）を行う。すなわち、それらが判定用乱数であり、それら以外の乱数が表示用乱数または初期値用乱数である。なお、遊技効果を高めるために、上記の乱数以外の乱数も用いてもよい。また、この実施の形態では、大当り判定用乱数として、遊技制御用マイクロコンピュータ５６０に内蔵されたハードウェア（遊技制御用マイクロコンピュータ５６０の外部のハードウェアでもよい。）が生成する乱数を用いる。
【０１０３】
この実施の形態では、ランダムＲにもとづいて大当りとするか否かを決定し、大当りとすると決定した場合に、ランダム１にもとづいて大当りの種別を決定する。大当りの種別として、「通常大当り」、「確変大当り」、「突然確変大当り」が設けられている。
【０１０４】
「確変大当り」とは、１５ラウンドの大当り遊技状態に制御し、その大当り遊技状態の終了後に確変状態に移行させる大当りである。また、「通常大当り」とは、１５ラウンドの大当り遊技状態に制御し、その大当り遊技状態の終了後に確変状態に移行されない（この実施の形態では、時短状態にのみ移行される）大当りである。
【０１０５】
この実施の形態では、遊技制御用マイクロコンピュータ５６０が演出制御コマンドを演出制御用マイクロコンピュータ１００に送信することにより、演出制御用マイクロコンピュータ１００における表示制御を指示する。演出制御コマンドとして以下のコマンドが設けられている。
【０１０６】
コマンド８０ＸＸ（Ｈ）は、特別図柄の可変表示に対応して演出表示装置９において可変表示される演出図柄の変動パターンを指定する演出制御コマンド（変動パターンコマンド）である（それぞれ変動パターンＸＸに対応）。なお、「（Ｈ）」は１６進数であることを示す。また、変動パターンを指定する演出制御コマンドは、変動開始を指定するためのコマンドでもある。従って、演出制御用マイクロコンピュータ１００は、コマンド８０ＸＸ（Ｈ）を受信すると、演出表示装置９において演出図柄の可変表示を開始するように制御する。
【０１０７】
コマンド８Ｃ０１（Ｈ）〜８Ｃ０５（Ｈ）は、大当りとするか否か、小当りとするか否か、および大当り種別を示す演出制御コマンドである。演出制御用マイクロコンピュータ１００は、コマンド８Ｃ０１（Ｈ）〜８Ｃ０５（Ｈ）の受信に応じて演出図柄の表示結果を決定するので、コマンド８Ｃ０１（Ｈ）〜８Ｃ０５（Ｈ）を表示結果指定コマンドという。
【０１０８】
コマンド８Ｆ００（Ｈ）は、演出図柄の可変表示（変動）を終了して表示結果（停止図柄）を導出表示することを示す演出制御コマンド（図柄確定指定コマンド）である。演出制御用マイクロコンピュータ１００は、図柄確定指定コマンドを受信すると、演出図柄の可変表示（変動）を終了して表示結果を導出表示する。
【０１０９】
コマンド９５ＸＸ（Ｈ）は、入賞時判定結果の内容（始動入賞時に実行される大当り・小当りの判定結果、大当り種別）を示す演出制御コマンド（第１入賞時判定結果指定コマンド）である。ここで、コマンド９５００（Ｈ）は、はずれであるを示す演出制御コマンドであり、コマンド９５０１（Ｈ）は、通常大当りであることを示す演出制御コマンドであり、コマンド９５０２（Ｈ）は、確変大当り（１５Ｒ確変大当り）であることを示す演出制御コマンドであり、コマンド９５０３（Ｈ）は、突然確変大当り（２Ｒ確変大当り）であることを示す演出制御コマンドであり、コマンド９５０４（Ｈ）は、小当りであることを示す演出制御コマンドである。
【０１１０】
コマンド９６ＸＸ（Ｈ）は、入賞時に決定された演出図柄の変動パターンの内容を示す演出制御コマンド（第２入賞時判定結果指定コマンド）である（それぞれ変動パターンＸＸに対応）。
【０１１１】
コマンド９Ｆ００（Ｈ）は、客待ちデモンストレーションを指定する演出制御コマンド（客待ちデモ指定コマンド）である。
【０１１２】
コマンドＡ００１〜Ａ００３（Ｈ）は、ファンファーレ画面を表示すること、すなわち大当り遊技の開始を指定する演出制御コマンド（大当り開始指定コマンド：ファンファーレ指定コマンド）である。大当り開始指定コマンドには、大当りの種類に応じた大当り開始１指定コマンド、大当り開始指定２指定コマンドおよび小当り／突然確変大当り開始指定コマンドがある。なお、遊技制御用マイクロコンピュータ５６０は、突然大当りである場合に突然確変大当り開始指定用のファンファーレ指定コマンドを送信するものの、小当りである場合にはファンファーレ指定コマンドを送信しないように構成してもよい。
【０１１３】
コマンドＡ１ＸＸ（Ｈ）は、ＸＸで示す回数目（ラウンド）の大入賞口開放中の表示を示す演出制御コマンド（大入賞口開放中指定コマンド）である。Ａ２ＸＸ（Ｈ）は、ＸＸで示す回数目（ラウンド）の大入賞口閉鎖を示す演出制御コマンド（大入賞口開放後指定コマンド）である。
【０１１４】
コマンドＡ３０１（Ｈ）は、大当り終了画面を表示すること、すなわち大当り遊技の終了を指定するとともに、通常大当りであったことを指定する演出制御コマンド（大当り終了１指定コマンド：エンディング１指定コマンド）である。コマンドＡ３０２（Ｈ）は、大当り終了画面を表示すること、すなわち大当り遊技の終了を指定するとともに、確変大当りであったことを指定する演出制御コマンド（大当り終了２指定コマンド：エンディング２指定コマンド）である。コマンドＡ３０３（Ｈ）は、小当りの遊技の終了または突然確変大当りの遊技の終了を指定する演出制御コマンド（小当り／突然確変大当り終了指定コマンド：エンディング３指定コマンド）である。なお、遊技制御用マイクロコンピュータ５６０は、突然大当りである場合に突然確変大当り終了指定用のエンディング指定コマンドを送信するものの、小当りである場合にはエンディング指定コマンドを送信しないように構成してもよい。
【０１１５】
コマンドＢ０００（Ｈ）は、遊技状態が通常状態であることを指定する演出制御コマンド（通常状態指定コマンド）である。コマンドＢ００１（Ｈ）は、遊技状態が時短状態（確変状態を含む）であることを指定する演出制御コマンド（時短状態指定コマンド）である。
【０１１６】
コマンドＣ２ＸＸ（Ｈ）は、保留記憶数を指定する演出制御コマンド（保留記憶数指定コマンド）である。コマンドＣ２ＸＸ（Ｈ）における「ＸＸ」が、保留記憶数を示す。コマンドＣ３００（Ｈ）は、保留記憶数を１減算することを指定する演出制御コマンド（保留記憶数減算指定コマンド）である。
【０１１７】
演出制御基板８０に搭載されている演出制御用マイクロコンピュータ１００（具体的には、演出制御用ＣＰＵ１０１）は、主基板３１に搭載されている遊技制御用マイクロコンピュータ５６０から上述した演出制御コマンドを受信すると、演出制御コマンドの内容に応じて画像表示装置９の表示状態を変更したり、ランプの表示状態を変更したり、音声出力基板７０に対して音番号データを出力したりする。
【０１１８】
この実施の形態では、演出制御コマンドは２バイト構成であり、１バイト目はＭＯＤＥ（コマンドの分類）を表し、２バイト目はＥＸＴ（コマンドの種類）を表す。ＭＯＤＥデータの先頭ビット（ビット７）は必ず「１」に設定され、ＥＸＴデータの先頭ビット（ビット７）は必ず「０」に設定される。なお、そのようなコマンド形態は一例であって他のコマンド形態を用いてもよい。例えば、１バイトや３バイト以上で構成される制御コマンドを用いてもよい
【０１１９】
なお、演出制御コマンドの送出方式として、演出制御信号ＣＤ０〜ＣＤ７の８本のパラレル信号線で１バイトずつ主基板３１から中継基板７７を介して演出制御基板８０に演出制御コマンドデータを出力し、演出制御コマンドデータの他に、演出制御コマンドデータの取込を指示するパルス状（矩形波状）の取込信号（演出制御ＩＮＴ信号）を出力する方式を用いる。演出制御コマンドの８ビットの演出制御コマンドデータは、演出制御ＩＮＴ信号に同期して出力される。演出制御基板８０に搭載されている演出制御用マイクロコンピュータ１００は、演出制御ＩＮＴ信号が立ち上がったことを検知して、割込処理によって１バイトのデータの取り込み処理を開始する。
【０１２０】
次に、主基板３１に搭載される遊技制御用マイクロコンピュータ５６０（具体的には、ＣＰＵ５６）が実行する特別図柄プロセス処理について説明する。上述したように、特別図柄プロセス処理では特別図柄表示器８および大入賞口を制御するための処理が実行される。特別図柄プロセス処理において、ＣＰＵ５６は、第１始動入賞口１３に遊技球が入賞したことを検出するための第１始動口スイッチ１３ａまたは第２始動入賞口１４に遊技球が入賞したことを検出するための第２始動口スイッチ１４ａがオンしていたら、すなわち始動入賞が発生していたら、始動口スイッチ通過処理を実行する。そして、内部状態（特別図柄プロセスフラグの値）に応じて、以下の処理のうちのいずれかの処理を行う。
【０１２１】
特別図柄通常処理：特別図柄プロセスフラグの値が０であるときに実行される。遊技制御用マイクロコンピュータ５６０は、特別図柄の可変表示が開始できる状態になると、保留記憶数バッファに記憶される数値データの記憶数（保留記憶数）を確認する。保留記憶数バッファに記憶される数値データの記憶数は保留記憶数カウンタのカウント値により確認できる。また、保留記憶数カウンタのカウント値が０でなければ、特別図柄の可変表示の表示結果を大当りとするか否かと小当りとするか否かを決定する。大当りとする場合には大当りフラグをセットする。小当りとする場合には小当りフラグをセットする。また、大当りとすると決定した場合には、大当りの種別を決定する。そして、内部状態（特別図柄プロセスフラグ）を変動パターン設定処理に応じた値（この例では１）に更新する。なお、大当りフラグまたは小当りフラグは、大当り遊技または小当り遊技が終了するときにリセットされる。
【０１２２】
変動パターン設定処理：特別図柄プロセスフラグの値が１であるときに実行される。また、変動パターンを決定し、その変動パターンにおける変動時間（可変表示時間：可変表示を開始してから表示結果を導出表示（停止表示）するまでの時間）を特別図柄の可変表示の変動時間とすることに決定する。また、特別図柄の変動時間を計測する変動時間タイマをスタートさせる。そして、内部状態（特別図柄プロセスフラグ）を表示結果指定コマンド送信処理に対応した値（この例では２）に更新する。
【０１２３】
表示結果指定コマンド送信処理：特別図柄プロセスフラグの値が２であるときに実行される。演出制御用マイクロコンピュータ１００に、表示結果指定コマンドを送信する制御を行う。そして、内部状態（特別図柄プロセスフラグ）を特別図柄変動中処理に対応した値（この例では３）に更新する。
【０１２４】
特別図柄変動中処理：特別図柄プロセスフラグの値が３であるときに実行される。変動パターン設定処理で選択された変動パターンの変動時間が経過（変動時間タイマがタイムアウトすなわち変動時間タイマの値が０になる）すると、内部状態（特別図柄プロセスフラグ）を特別図柄停止処理に対応した値（この例では４）に更新する。
【０１２５】
特別図柄停止処理：特別図柄プロセスフラグの値が４であるときに実行される。特別図柄表示器８における可変表示を停止して停止図柄を導出表示させる。また、演出制御用マイクロコンピュータ１００に、図柄確定指定コマンドを送信する制御を行う。そして、大当りフラグがセットされている場合には、内部状態（特別図柄プロセスフラグ）を大入賞口開放前処理に対応した値（この例では５）に更新する。また、小当りフラグがセットされている場合には、内部状態（特別図柄プロセスフラグ）を小当り開放前処理に対応した値（この例では８）に更新する。大当りフラグおよび小当りフラグのいずれもセットされていない場合には、内部状態（特別図柄プロセスフラグ）を特別図柄通常処理に対応した値（この例では０）に更新する。なお、演出制御用マイクロコンピュータ１００は、遊技制御用マイクロコンピュータ５６０が送信する図柄確定指定コマンドを受信すると演出表示装置９において演出図柄が停止されるように制御する。
【０１２６】
大入賞口開放前処理：特別図柄プロセスフラグの値が５であるときに実行される。大入賞口開放前処理では、大入賞口を開放する制御を行う。具体的には、カウンタ（例えば、大入賞口に入った遊技球数をカウントするカウンタ）などを初期化するとともに、ソレノイド２１を駆動して大入賞口を開放状態にする。また、タイマによって大入賞口開放中処理の実行時間を設定し、内部状態（特別図柄プロセスフラグ）を大入賞口開放中処理に対応した値（この例では６）に更新する。なお、大入賞口開放前処理は各ラウンド毎に実行されるが、第１ラウンドを開始する場合には、大入賞口開放前処理は大当り遊技を開始する処理でもある。
【０１２７】
大入賞口開放中処理：特別図柄プロセスフラグの値が６であるときに実行される。大当り遊技状態中のラウンド表示の演出制御コマンドを演出制御用マイクロコンピュータ１００に送信する制御や大入賞口の閉成条件の成立を確認する処理等を行う。大入賞口の閉成条件が成立し、かつ、まだ残りラウンドがある場合には、内部状態（特別図柄プロセスフラグ）を大入賞口開放前処理に対応した値（この例では５）に更新する。また、全てのラウンドを終えた場合には、内部状態（特別図柄プロセスフラグ）を大当り終了処理に対応した値（この例では７）に更新する。
【０１２８】
大当り終了処理：特別図柄プロセスフラグの値が７であるときに実行される。大当り遊技状態が終了したことを遊技者に報知する表示制御を演出制御用マイクロコンピュータ１００に行わせるための制御を行う。また、遊技状態を示すフラグ（例えば、確変フラグや時短フラグ）をセットする処理を行う。そして、内部状態（特別図柄プロセスフラグ）を特別図柄通常処理に対応した値（この例では０）に更新する。
【０１２９】
小当り開放前処理：特別図柄プロセスフラグの値が８であるときに実行される。小当り開放前処理では、大入賞口を開放する制御を行う。具体的には、カウンタ（例えば、大入賞口に入った遊技球数をカウントするカウンタ）などを初期化するとともに、ソレノイド２１を駆動して大入賞口を開放状態にする。また、タイマによって大入賞口開放中処理の実行時間を設定し、内部状態（特別図柄プロセスフラグ）を小当り開放中処理に対応した値（この例では９）に更新する。なお、小当り開放前処理は各ラウンド毎に実行されるが、第１ラウンドを開始する場合には、小当り開放前処理は小当り遊技を開始する処理でもある。
【０１３０】
小当り開放中処理：特別図柄プロセスフラグの値が９であるときに実行される。大入賞口の閉成条件の成立を確認する処理等を行う。大入賞口の閉成条件が成立し、かつ、まだ残りラウンドがある場合には、内部状態（特別図柄プロセスフラグ）を小当り開放前処理に対応した値（この例では８）に更新する。また、全てのラウンドを終えた場合には、内部状態（特別図柄プロセスフラグ）を小当り終了処理に対応した値（この例では１０（１０進数））に更新する。
【０１３１】
小当り終了処理：特別図柄プロセスフラグの値が１０であるときに実行される。小当り遊技状態が終了したことを遊技者に報知する表示制御を演出制御用マイクロコンピュータ１００に行わせるための制御を行う。そして、内部状態（特別図柄プロセスフラグ）を特別図柄通常処理に対応した値（この例では０）に更新する。
【０１３２】
次に、始動口スイッチ通過処理について説明する。第１始動口スイッチ１３ａと第２始動口スイッチ１４ａとのうちの少なくとも一方がオンすると、ＣＰＵ５６は、保留記憶数をカウントするための保留記憶数カウンタの値が４であるか否かを確認する。保留記憶数カウンタの値が４であれば、以下の処理を実行しない。
【０１３３】
保留記憶数カウンタの値が４でなければ、ＣＰＵ５６は、保留記憶数カウンタの値を１増やす。また、ＣＰＵ５６は、乱数回路５０３やソフトウェア乱数を生成するためのカウンタから値を抽出し、それらを、保留記憶バッファにおける保存領域に格納する処理を実行する。なお、この処理では、ハードウェア乱数であるランダムＲ（大当り判定用乱数）や、ソフトウェア乱数である大当り種別判定用乱数（ランダム１）、変動パターン種別判定用乱数（ランダム２）および変動パターン判定用乱数（ランダム３）が抽出され、保存領域に格納される。なお、変動パターン判定用乱数（ランダム３）を始動口スイッチ通過処理（始動入賞時）において抽出して保存領域にあらかじめ格納しておくのではなく、特別図柄の変動開始時に抽出するようにしてもよい。例えば、遊技制御用マイクロコンピュータ５６０は、後述する変動パターン設定処理において、変動パターン判定用乱数（ランダム３）を生成するための変動パターン判定用乱数カウンタから値を直接抽出するようにしてもよい。
【０１３４】
次いで、ＣＰＵ５６は、保留記憶数カウンタの値にもとづいて、保留記憶数を示す保留記憶数指定コマンドを送信する制御を行う。
【０１３５】
また、演出制御用マイクロコンピュータ１００に演出制御コマンドを送信する場合には、ＣＰＵ５６は、演出制御コマンドに応じたコマンド送信テーブル（あらかじめＲＯＭにコマンド毎に設定されている）のアドレスをポインタにセットする。そして、演出制御コマンドに応じたコマンド送信テーブルのアドレスをポインタにセットして、演出制御コマンド制御処理において演出制御コマンドを送信する。
【０１３６】
次いで、ＣＰＵ５６は、抽出した大当り判定用乱数（ランダムＲ）と大当り判定値とを比較し、それらが一致するか否かを確認する。また、抽出した大当り判定用乱数と小当り判定値とを比較し、それらが一致するか否かを確認する。この実施の形態では、特別図柄および演出図柄の変動を開始するタイミングで、後述する特別図柄通常処理において大当りや小当りとするか否か、大当り種別を決定したり、変動パターン設定処理において変動パターンを決定したりするのであるが、それとは別に、遊技球が第１始動入賞口１３や第２始動入賞口１４に始動入賞したタイミングで、始動口スイッチ通過処理において大当りや小当りとするか否か、大当り種別を決定したり、変動パターンを決定する。そのようにすることによって、演出図柄の変動表示が実行されるより前にあらかじめ大当りとなるか否かやスーパーリーチとなることなどを予測し、後述するように、演出制御用マイクロコンピュータ１００によって大当り等の予告演出を実行する。
【０１３７】
大当り判定用乱数（ランダムＲ）が大当り判定値と一致する場合には、ＣＰＵ５６は、抽出した大当り種別判定用乱数（ランダム１）にもとづいて、大当り種別を判定する。
【０１３８】
そして、ＣＰＵ５６は、大当り・小当りとなるか否かや、大当りとなる場合の大当り種別に応じて、変動パターンを決定する。この実施の形態では、この実施の形態では、グループ化された変動パターン種別を変動パターン種別決定用乱数にもとづいて決定し、その後、決定した変動パターン種別に含まれる複数種類の変動パターンの中から、変動パターン決定用乱数にもとづいて変動パターンを決定する。
【０１３９】
そして、ＣＰＵ５６は、入賞時判定結果の内容（上記の大当りの判定結果、大当り種別）を示す演出制御コマンド（第１入賞時判定結果指定コマンド）を演出制御用マイクロコンピュータ１００に送信するとともに、変動パターンの内容を示す演出制御コマンド（第２入賞時判定結果コマンド）を演出制御用マイクロコンピュータ１００に送信する。
【０１４０】
次に、特別図柄プロセス処理における特別図柄通常処理について説明する。特別図柄通常処理において、ＣＰＵ５６は、保留記憶数の値を確認する。具体的には、保留記憶数カウンタのカウント値を確認する。保留記憶数が０であれば処理を終了する。
【０１４１】
保留記憶数が０でなければ、ＣＰＵ５６は、ＲＡＭ５５における保留記憶数＝１に対応する保存領域に格納されている各乱数値を読み出してＲＡＭ５５の乱数バッファ領域に格納する。具体的には、ＣＰＵ５６は、保留記憶数バッファにおける保留記憶数＝１に対応する保存領域に格納されている各乱数値を読み出してＲＡＭ５５の乱数バッファ領域に格納する。
【０１４２】
そして、ＣＰＵ５６は、保留記憶数カウンタのカウント値を１減算し、かつ、各保存領域の内容をシフトする。
【０１４３】
すなわち、ＣＰＵ５６は、ＲＡＭ５５の保留記憶数バッファにおいて保留記憶数＝ｎ（ｎ＝２，３，４）に対応する保存領域に格納されている各乱数値を、保留記憶数＝ｎ−１に対応する保存領域に格納する。よって、保留記憶数に対応するそれぞれの保存領域に格納されている各乱数値が抽出された順番は、常に、保留記憶数＝１，２，３，４の順番と一致するようになっている。
【０１４４】
次いで、ＣＰＵ５６は、乱数バッファ領域からランダムＲ（大当り判定用乱数）を読み出し、大当り判定モジュールを実行する。なお、この場合、ＣＰＵ５６は、始動口スイッチ通過処理で抽出し保留記憶バッファにあらかじめ格納した大当り判定用乱数を読み出し、大当り判定を行う。大当り判定モジュールは、あらかじめ決められている大当り判定値や小当り判定値と大当り判定用乱数とを比較し、それらが一致したら大当りや小当りとすることに決定する処理を実行するプログラムである。すなわち、大当り判定や小当り判定の処理を実行するプログラムである。
【０１４５】
大当り判定の処理では、遊技状態が確変状態（高確率状態）の場合は、遊技状態が非確変状態（通常遊技状態および時短状態）の場合よりも、大当りとなる確率が高くなるように構成されている。具体的には、あらかじめ大当り判定値の数が多く設定されている確変時大当り判定テーブルと、大当り判定値の数が確変大当り判定テーブルよりも少なく設定されている通常時大当り判定テーブルとが設けられている。そして、ＣＰＵ５６は、遊技状態が確変状態であるか否かを確認し、遊技状態が確変状態であるときは、確変時大当り判定テーブルを使用して大当りの判定の処理を行い、遊技状態が通常遊技状態や時短状態であるときは、通常時大当り判定テーブルを使用して大当りの判定の処理を行う。大当りとする場合には、大当りであることを示す大当りフラグをセットする。
【０１４６】
大当り判定用乱数（ランダムＲ）の値がいずれの大当り判定値にも一致しなければ、ＣＰＵ５６は、小当り判定テーブルを使用して小当りの判定の処理を行う。すなわち、ＣＰＵ５６は、大当り判定用乱数（ランダムＲ）の値がいずれかの小当り判定値に一致すると、特別図柄に関して小当りとすることに決定する。小当りとすることに決定した場合には、ＣＰＵ５６は、小当りであることを示す小当りフラグをセットする。
【０１４７】
なお、ランダムＲの値が大当り判定値および小当り判定値のいずれにも一致しない場合には、はずれとなる。
【０１４８】
ＣＰＵ５６は、大当りになると決定した場合は、大当り種別を複数種類のうちのいずれかに決定するためのテーブルを使用して、大当り種別を決定する。すなわち、ＣＰＵ５６は、大当り種別判定テーブルを用いて、乱数バッファ領域に格納された大当り種別判定用の乱数（ランダム１）の値と一致する値に対応した種別（「通常大当り」、「確変大当り」または「突然確変大当り」）を大当りの種別に決定する。なお、この場合、ＣＰＵ５６は、始動口スイッチ通過処理で抽出し保留記憶バッファにあらかじめ格納した大当り種別判定用乱数を読み出し、大当り種別の決定を行う。
【０１４９】
また、ＣＰＵ５６は、決定した大当りの種別を示すデータをＲＡＭ５５における大当り種別バッファに設定する。例えば、大当り種別が「通常大当り」の場合には大当り種別を示すデータとして「０１」が設定され、大当り種別が「確変大当り」の場合には大当り種別を示すデータとして「０２」が設定され、大当り種別が「突然確変大当り」の場合には大当り種別を示すデータとして「０３」が設定される。
【０１５０】
次いで、ＣＰＵ５６は、特別図柄の停止図柄を決定する。具体的には、大当りフラグおよび小当りフラグのいずれもセットされていない場合には、はずれ図柄となる「−」を特別図柄の停止図柄に決定する。大当りフラグがセットされている場合には、大当り種別の決定結果に応じて、大当り図柄となる「１」、「３」、「７」のいずれかを特別図柄の停止図柄に決定する。すなわち、大当り種別を「突然確変大当り」に決定した場合には「１」を特別図柄の停止図柄に決定し、「通常大当り」に決定した場合には「３」を特別図柄の停止図柄に決定し、「確変大当り」に決定した場合には「７」を特別図柄の停止図柄に決定する。また、小当りフラグがセットされている場合には、小当り図柄となる「５」を特別図柄の停止図柄に決定する。
【０１５１】
そして、特別図柄プロセスフラグの値を変動パターン設定処理に対応した値に更新する。
【０１５２】
その後、ＣＰＵ５６は、変動パターン設定処理、表示結果コマンド送信処理、特別図柄変動中処理、特別図柄停止処理を実行する。また、大当りになる場合には大入賞口開放前処理に移行し、小当りになる場合には小当り開放前処理に移行し、はずれになる場合には特別図柄通常処理に移行する。なお、この実施の形態では、特別図柄通常処理では、始動口スイッチ通過処理における大当り・小当り判定および大当り種別の決定と同じ内容の処理が行われ、変動パターン設定処理では、始動口スイッチ通過処理における変動パターンの決定と同じ内容の処理が行われる。このように、始動入賞時のみならず変動開始時も同様の処理を行うことにより、遊技状態が始動入賞時と変動開始時とで変化した場合でも、遊技者に不利益を与えるおそれがない。ただし、例えば遊技状態が変化しないような遊技機であれば、特別図柄通常処理における大当り・小当り判定および大当り種別の決定の処理や、変動パターン設定処理における変動パターンの決定の処理を省略（あるいは簡素化）するようにしてもよい。
【０１５３】
次に、演出制御手段の動作を説明する。まず、演出制御基板８０に搭載されている演出制御手段としての演出制御用マイクロコンピュータ１００（具体的には、演出制御用ＣＰＵ１０１）が実行するメイン処理について説明する。演出制御用ＣＰＵ１０１は、電源が投入されると、メイン処理の実行を開始する。メイン処理では、まず、ＲＡＭ領域のクリアや各種初期値の設定、また演出制御の起動間隔（例えば、２ｍｓ）を決めるためのタイマの初期設定等を行うための初期化処理を行う。その後、演出制御用ＣＰＵ１０１は、タイマ割込フラグの監視を行うループ処理に移行する。タイマ割込が発生すると、演出制御用ＣＰＵ１０１は、タイマ割込処理においてタイマ割込フラグをセットする。メイン処理において、タイマ割込フラグがセットされていたら、演出制御用ＣＰＵ１０１は、そのフラグをクリアし、以下の演出制御処理を実行する。
【０１５４】
演出制御処理において、演出制御用ＣＰＵ１０１は、まず、受信した演出制御コマンドを解析し、受信した演出制御コマンドに応じたフラグをセットする処理等を行う（コマンド解析処理）。なお、コマンド解析処理では、遊技制御用マイクロコンピュータ５６０からの入賞時判定結果指定コマンド（第１入賞時判定結果コマンド、第２入賞時判定結果コマンド）の内容に応じて、大当り等を予告する予告演出を実行するか否かと、予告演出を実行する場合の演出態様を決定する予告演出決定処理を実行する。次いで、演出制御用ＣＰＵ１０１は、演出制御プロセス処理を行う。演出制御プロセス処理では、制御状態に応じた各プロセスのうち、現在の制御状態（演出制御プロセスフラグ）に対応した処理を選択して演出表示装置９の表示制御を実行する。
【０１５５】
次いで、大当り図柄決定用乱数などの乱数を生成するためのカウンタのカウント値を更新する乱数更新処理を実行する。また、保留記憶表示部１８ｃの表示状態の制御を行う保留記憶表示制御処理を実行する。その後、再びタイマ割込フラグの監視を行うループ処理に移行する。
【０１５６】
次に、メイン処理における演出制御プロセス処理について説明する。演出制御プロセス処理では、演出制御用ＣＰＵ１０１は、演出制御プロセスフラグの値に応じて複数の処理のうちのいずれかの処理を行う。各処理において、以下のような処理を実行する。
【０１５７】
変動パターンコマンド受信待ち処理：遊技制御用マイクロコンピュータ５６０から変動パターンコマンドを受信しているか否か確認する。具体的には、コマンド解析処理でセットされる変動パターンコマンド受信フラグがセットされているか否か確認する。変動パターンコマンドを受信していれば、演出制御プロセスフラグの値を演出図柄変動開始処理に対応した値に変更する。
【０１５８】
演出図柄変動開始処理：演出図柄（飾り図柄）の変動が開始されるように制御する。そして、演出制御プロセスフラグの値を演出図柄変動中処理に対応した値に更新する。
【０１５９】
演出図柄変動中処理：変動パターンを構成する各変動状態（変動速度）の切替タイミング等を制御するとともに、変動時間の終了を監視する。そして、変動時間が終了したら、演出制御プロセスフラグの値を演出図柄変動停止処理に対応した値に更新する。なお、後述する予告演出（図４〜図６参照）も、演出図柄変動中処理において実行される。
【０１６０】
演出図柄変動停止処理：全図柄停止を指示する演出制御コマンド（図柄確定指定コマンド）を受信したことにもとづいて、演出図柄（飾り図柄）の変動を停止し表示結果（停止図柄）を導出表示する制御を行う。そして、演出制御プロセスフラグの値を大当り表示処理または変動パターンコマンド受信待ち処理に対応した値に更新する。
【０１６１】
大当り表示処理：変動時間の終了後、演出表示装置９に大当りの発生を報知するための画面を表示する制御を行う。そして、演出制御プロセスフラグの値を大当り遊技中処理に対応した値に更新する。
【０１６２】
大当り遊技中処理：大当り遊技中の制御を行う。例えば、大入賞口開放中指定コマンドや大入賞口開放後指定コマンドを受信したら、演出表示装置９におけるラウンド数の表示制御等を行う。そして、演出制御プロセスフラグの値を大当り終了処理に対応した値に更新する。
【０１６３】
大当り終了処理：演出表示装置９において、大当り遊技状態が終了したことを遊技者に報知する表示制御を行う。そして、演出制御プロセスフラグの値を変動パターンコマンド受信待ち処理に対応した値に更新する。
【０１６４】
次に、演出表示装置９において実行される予告演出（特殊演出）の表示例を説明する。
【０１６５】
図４〜図６は、演出表示装置９において実行される予告演出の表示例を示す説明図である。図４〜図６に示す予告演出は、複数回の変動（複数回の変動の中に擬似連の変動が含まれている場合は、擬似連の再変動）に亘って連続して実行される予告演出（連続予告演出）である。演出制御用ＣＰＵ１０１が、コマンド解析処理にて入賞時判定結果コマンド（第１始動入賞時判定結果コマンド、第２始動入賞時判定結果コマンド）を受信した場合、受信したコマンドの内容にもとづいて予告演出を実行するか否かを決定する。このとき、大当りの場合は、はずれの場合よりも高い割合で予告演出を実行すると決定する。また、確変大当りの場合は、通常大当りの場合よりも高い割合で予告演出を実行すると決定する。
【０１６６】
そして、演出制御用ＣＰＵ１０１は、予告演出を実行すると決定した場合、保留記憶数（保留記憶数は、遊技制御用マイクロコンピュータ５６０から送信される保留記憶数指定コマンドの内容および保留記憶数減算指定コマンドにもとづいて更新する演出側保留記憶数カウンタの値によって確認することが可能である）を確認するとともに、第２入賞時判定結果コマンドの内容にもとづいて保留記憶の中に擬似連の変動パターンが決定されている保留記憶が含まれているか否かを確認し、擬似連の変動パターンが決定されている保留記憶が含まれている場合は、その擬似連の変動パターンの再変動の回数を確認する。そして、演出制御用ＣＰＵ１０１は、保留記憶数（擬似連の変動パターンが含まれている場合は、さらに再変動の回数を加えた数）に応じた予告演出の演出態様（演出パターン）を決定する。具体的には、保留記憶数と再変動の回数を合計した合計数ごとに用意された予告演出選択テーブルに複数種類の演出態様が設定され、それらの演出態様に判定値が割り振られている。そして、演出制御用ＣＰＵ１０１は、予告演出決定用乱数を抽出し、抽出した乱数値と判定値とを比較して複数回の変動および再変動に亘って実行される予告演出の演出態様（演出パターン）を決定する。
【０１６７】
図４（１）に示すように、演出表示装置９の画面上で左中右の演出図柄９Ｌ，９Ｃ，９Ｒが変動している。このとき、特別図柄保留記憶表示器１８において２個の保留記憶表示（２個のＬＥＤ）が点灯している。すなわち、保留記憶数が２の状態である。なお、特別図柄保留記憶表示器１８において表示されている保留記憶表示に対応する保留記憶を、左から順に１個目の保留記憶、２個目の保留記憶、・・・と呼ぶ。この状態において、例えば、図４に示すように、第１始動入賞口１３（なお、第２始動入賞口でもよい）に遊技球が入賞すると、特別図柄保留記憶表示器１８において３個の保留記憶表示（２個のＬＥＤ）が点灯した状態となる。すなわち、保留記憶数が３になる。なお、３個目の保留記憶（現時点での最新の保留記憶）にもとづく始動入賞時の大当り判定で大当りになると決定され、遊技制御用マイクロコンピュータ５６０から大当りを示す第１入賞時判定結果コマンドが演出制御用マイクロコンピュータ１００に送信され、遊技制御用マイクロコンピュータ５６０から大当りのときの変動パターンを指定する第２入賞時判定結果コマンドが演出制御用マイクロコンピュータ１００に送信されたものとする。
【０１６８】
図４（２）に示すように、演出図柄９Ｌ，９Ｃ，９Ｒの変動開始から変動時間が経過すると、演出図柄９Ｌ，９Ｃ，９Ｒの変動が停止し、停止図柄を表示する。ここで、停止表示されている停止図柄は、はずれ図柄「１２３」となっている。なお、チャンス目と呼ばれる予告演出が実行される契機となる出目（図柄の組み合わせ）が出現した場合に予告演出を実行させるようにしてもよい。この場合、例えば「１２３」をチャンス目としてもよく、また、複数種類のチャンス目を設けてもよい（例えば「１２３」以外に「２３４」や「３４５」などの左図柄、中図柄、右図柄が連続した数字の図柄をチャンス目としてもよい）。
【０１６９】
はずれ図柄「１２３」が停止表示された後、１個目の保留記憶（最も前の時点で記憶された保留記憶、つまり最前の保留記憶）にもとづいて演出図柄９Ｌ，９Ｃ，９Ｒの変動が開始され、特別図柄保留記憶表示器１８において２個の保留記憶表示を表示している状態になる（保留記憶数が２になる）。演出制御用ＣＰＵ１０１が変動開始前の時点での１個目の保留記憶（最も前の時点で記憶された最前の保留記憶、つまり変動が開始される契機となった保留記憶）にもとづいて予告演出を実行すると決定した場合には、図４（３）に示すように、演出図柄９Ｌ，９Ｃ，９Ｒの変動が開始されるタイミングで演出表示装置９の画面にひびが入る演出が実行される。これにより、遊技者は、予告演出が実行されることを認識する。
【０１７０】
そして、図４（４）に示すように、演出表示装置９の画面が４つの画面９１〜９４に分割される演出が実行され、全ての画面９１〜９４において左中右の演出図柄の変動が開始される。
【０１７１】
ここで、分割された各画面９１〜９４は、予告演出を実行する変動の開始前の保留記憶にもとづく変動および擬似連の変動の場合は当該擬似連中の再変動に対応している。具体的には、左上の画面９１は、変動開始前の時点での１個目の保留記憶（最前の保留記憶）に対応する変動を行う画面である。右上の画面９２は、変動開始前の時点での２個目の保留記憶（１個目の保留記憶の次に記憶された保留記憶）に対応する擬似連の変動を行う画面である。左下の画面９３は、変動開始前の時点での２個目の保留記憶に対応する擬似連の１回目の再変動を行う画面である。右下の画面９４は、変動開始前の時点での３個目の保留記憶（２個目の保留記憶の次に記憶された保留記憶、つまり、現時点での最新の保留記憶）に対応する変動を行う画面である。
【０１７２】
また、左下の画面９３には所定の模様の枠が表示され、右下の画面９４にも画面９３の枠とは異なる模様の枠が表示されている。これらの枠は、当該枠で囲っている画面に対応する変動において大当りの期待度（信頼度）が高いことを示している。また、枠の模様によって大当りの期待度が異なる。演出制御用ＣＰＵ１０１は、大当りとなる変動に対応する画面に大当りの期待度の高い枠を高い割合で表示し、また、はずれとなる変動に対応する画面には枠を表示せずまたは大当りの期待度が低い枠を表示するように制御する。具体的には、大当りを示す入賞時判定結果コマンドを受信した場合には、当該大当りとなる変動に対応する画面に高い割合で枠（特に期待度の高い枠）を表示する予告演出の演出態様を選択可能な予告演出選択テーブル（大当りとなる変動に対応する画面に枠を表示する予告演出の演出態様に対して相対的に数多くの判定値が割り振られているテーブル）選択し、はずれを示す入賞時判定結果を受信した場合には、当該はずれとなる変動に対応する画面に低い割合で枠（特に期待度の高い枠）を表示する予告演出の演出態様を選択可能な予告演出選択テーブル（はずれとなる変動に対応する画面に枠を表示する予告演出の演出態様に対して相対的に少ない数の判定値が割り振られているテーブル）選択する。そして、演出制御用ＣＰＵ１０１は、選択した予告演出選択テーブルを用いて複数回の変動に亘って実行する予告演出の演出態様を決定する。
【０１７３】
そして、図４（５）に示すように、全ての画面９１〜９４において左右の演出図柄が同一図柄で停止することによって、全ての画面９１〜９４においてリーチがかかる（リーチ状態となる）。次に、図４（６）に示すように、画面選択用の画面９Ａが、４つの画面９１〜９４の上（手前）に表示され、画面９１〜９４の上を時計回りに移動していく。その後、図４（７）に示すように、画面選択用の画面９Ａが左上の画面９１の上で止まることによって左上の画面９１が選択され、図４（８）に示すように、選択された画面９１が他の画面９２〜９４の上（手前）に出てきて拡大表示される。
【０１７４】
変動開始前（予告演出を実行する変動の開始前）の時点での１個目の保留記憶にもとづく変動の変動時間が経過すると、図４（９）に示すように、画面９１においてリーチ図柄（左右図柄）「２」と異なる図柄「３」が中図柄として停止表示される。そして、図５（１０）に示すように、画面９１が元の位置（左上の位置）に戻り、所定時間、停止図柄「２３２」が停止表示される。
【０１７５】
なお、上記のような分割された複数の画面において演出図柄の変動を行う場合、１個の保留記憶にもとづく変動（１回の変動）の区切りがわかりにくくなるおそれがある。そこで、１個の保留記憶にもとづく変動の区切りをわかりやすくするような表示を行うようにしてもよい。例えば、図４（９）に示す拡大された画面９１において停止図柄「２３２」を停止表示した後、画面９１を全画面表示にして停止図柄「２３２」を確定させ（図６（２５）参照）、１個の保留記憶にもとづく変動が終了したことを遊技者に容易に認識させる。そして、図５（１０）に示す表示を行う。同様に、図５（１４）（１５）、図６（１９）（２０）においても１回の変動の区切りを明確にするような表示（全画面表示）を行う。このような構成によれば、１回の変動の区切りを遊技者に認識させることができ、どの保留記憶にもとづく変動であるかをわかりやすくすることができる。
【０１７６】
次に、変動開始前（予告演出を実行する変動の開始前）の時点での２個目の保留記憶にもとづく変動が開始される。このとき、２個目の保留記憶にもとづく変動の変動パターンは、１回の再変動を行うはずれのときの擬似連の変動パターンである。２個目の保留記憶にもとづく変動が開始されると、図５（１１）に示すように、特別図柄保留記憶表示器１８において１個の保留記憶表示を表示している状態になる（保留記憶数が１になる）とともに、画面選択用の画面９Ａが、再び、４つの画面９１〜９４の上（手前）に表示され、画面９１〜９４の上を時計回りに移動していく。その後、図５（１２）に示すように、画面選択用の画面９Ａが右上の画面９２の上で止まることによって右上の画面９２が選択され、図５（１３）に示すように、選択された画面９２が他の画面９１、９３、９４の上（手前）に出てきて拡大表示される。
【０１７７】
変動開始前（予告演出を実行する変動の開始前）の時点での２個目の保留記憶にもとづく変動における再変動までの時間が経過すると、図５（１４）に示すように、画面９２においてリーチ図柄（左右図柄）「３」と異なる図柄「４」が中図柄として停止表示される。そして、図５（１５）に示すように、画面９２が元の位置（右上の位置）に戻り、所定時間、停止図柄「３４３」が停止表示される。なお、「３４３」は、擬似連の変動において仮停止される仮停止図柄である。
【０１７８】
次に、変動開始前（予告演出を実行する変動の開始前）の時点での２個目の保留記憶にもとづく擬似連の１回目の再変動が開始される。２個目の保留記憶にもとづく１回目の再変動が開始されると、図５（１６）に示すように、画面選択用の画面９Ａが、再び、４つの画面９１〜９４の上（手前）に表示され、画面９１〜９４の上を時計回りに移動していく。なお、擬似連の再変動であるので、特別図柄保留記憶表示器１８において１個の保留記憶表示を表示している状態のままである（保留記憶数が減少しない）。その後、図５（１７）に示すように、画面選択用の画面９Ａが左下の画面９３の上で止まることによって左下の画面９３が選択され、図５（１８）に示すように、選択された画面９３が他の画面９１、９２、９４の上（手前）に出てきて拡大表示される。
【０１７９】
このとき、第１始動入賞口１３に遊技球が入賞すると、特別図柄保留記憶表示器１８において保留記憶表示が１個増え、保留記憶数が２になる。また、演出表示装置９における分割画面も保留記憶数の増加に合わせて１つ増える。すなわち、右下に画面９５が１つ増え、演出表示装置９の画面が４分割から５分割になる。このような表示制御は、演出制御用ＣＰＵ１０１が保留記憶数指定コマンドにもとづいて保留記憶数が増えたことを認識し、現在実行している予告演出から保留記憶数の増加分の画面を増やした予告演出に自動的に切り換えることにより行われる。
【０１８０】
変動開始前（予告演出を実行する変動の開始前）の時点での２個目の保留記憶にもとづく変動の変動時間が経過すると、図６（１９）に示すように、画面９３においてリーチ図柄（左右図柄）「４」と異なる図柄「５」が中図柄として停止表示される。そして、図６（２０）に示すように、画面９３が右上の位置に戻り、所定時間、停止図柄「４５４」が停止表示される。
【０１８１】
次に、変動開始前（予告演出を実行する変動の開始前）の時点での３個目の保留記憶にもとづく変動が開始される。３個目の保留記憶にもとづく変動が開始されると、図６（２１）に示すように、特別図柄保留記憶表示器１８において１個の保留記憶表示を表示している状態になる（保留記憶数が１になる）とともに、画面選択用の画面９Ａが、５つの画面９１〜９５の上（手前）に表示され、画面９１〜９５の上を時計回りに移動していく。その後、図６（２２）に示すように、画面選択用の画面９Ａが左下の画面９４の上で止まることによって左下の画面９４が選択され、図６（２３）に示すように、選択された画面９４が他の画面９１〜９３、９５の上（手前）に出てきて拡大表示される。
【０１８２】
変動開始前（予告演出を実行する変動の開始前）の時点での３個目の保留記憶にもとづく変動の変動時間が経過すると、図６（２４）に示すように、画面９４においてリーチ図柄（左右図柄）「５」と同一の図柄「５」が中図柄として停止表示される。そして、図６（２５）に示すように、大当り図柄「５５５」が拡大表示されて大当りが確定する。
【０１８３】
以上に説明したように、この実施の形態によれば、始動入賞時に保留記憶を先読みすることにより大当り等の判定を行い、判定結果に応じた予告演出として、演出表示装置９の画面を複数の保留記憶に対応した画面に分割し、各々の画面においてリーチ状態とし、保留記憶にもとづく変動を開始する度にリーチ状態から変動を開始するように構成しているので、先読みによる判定結果に対応した複数回の変動を複数の画面で実行することができ、複数回の変動に亘って実行される一連の予告演出の視覚効果を高めつつ、大当りに対する遊技者の期待感を高め、効果的に遊技の興趣を向上させることができる。
【０１８４】
また、この実施の形態では、各画面においてリーチ状態から変動を開始するときに、変動を開始する画面を拡大するように構成しているので、停止図柄が導出される画面を遊技者に確実に認識させることができる。
【０１８５】
また、この実施の形態では、保留記憶内に擬似連の変動パターンが決定されている保留記憶を含む場合、保留記憶数と擬似連の再変動の回数とを合わせた数の画面に分割するように構成されているので、複数回の変動に亘って実行される一連の演出がより一層賑やかとなり、遊技者の期待感を高め、遊技の興趣を向上させることができる。
【０１８６】
また、この実施の形態では、予告演出の実行中に始動入賞に応じて保留記憶が増えた場合、新たに記憶された保留記憶に対応する画面を設定するように構成されているので、複数回の変動に亘って実行される一連の演出がより一層賑やかとなり、遊技者の期待感を高め、遊技の興趣を向上させることができる。
【０１８７】
さらに、この実施の形態では、分割した画面に枠を設定するように構成しているので、より一層、遊技者の期待感を高め、遊技の興趣を向上させることができる。
【０１８８】
上記の実施の形態では、予告演出を実行するときの保留記憶数（および保留記憶内に擬似連の変動が含まれている場合は擬似連の再変動回数を加えた数、以下、合計数という。）の画面に分割するようにしていたが、予告演出を実行するときに、合計数が少ない場合（例えば０や１など）も起こり得る。この場合、画面分割胃ができないか、画面分割ができたとしても少ない数の画面となり、演出効果が低下してしまう。そこで、予告演出を実行すると決定した場合、合計数が所定数（例えば３）以上であるか否かを判定し、所定数以上でなければ、合計数が所定数以上になるまで予告演出を実行せずに、所定数以上になったときに予告演出を実行する。具体的には、予告演出を実行すると決定した時点で合計数が２である場合は、その時点で予告演出を開始せず、合計数が３になったときに（そのときまでに予告演出を実行する変動が開始されていない場合）、合計数に応じた予告演出を実行する。
【０１８９】
上記の実施の形態では、予告演出として図４〜図６に示すような演出を実行していたが、このような演出は一例であって、他の態様の演出を実行するようにしてもよい。例えば、図４（４）等に示す例では、演出表示装置９の画面を升目状に分割（図４（４）では十字に４分割）することにより複数の画面を設定しているが、複数の画面を立体的に重ねるように設定するようにしてもよい。
【０１９０】
また、図４（４）等に示す例では、大当りの可能性が高い保留記憶に対応する画面に枠を設定していたが、大当りの可能性が高いことを遊技者に認識させるような態様の表示等を行えばよく、そのような構成に限られるわけではない。例えば、大当りの可能性が高い保留記憶に対応する画面内の演出図柄を、大当りの可能性が高くない保留記憶に対応する画面内の演出図柄とは異なる図柄（数字の字体が異なる図柄、色が異なる図柄など）にする。また、大当りの可能性が高い保留記憶に対応する画面内の背景画像を、大当りの可能性が高くない保留記憶に対応する画面内の背景画像とは異なる背景画像（背景画像自体が異なる、背景の色が異なるなど）にする。また、大当りの可能性が高い保留記憶に対応する画面内にキャラクタを登場させる、などが考えられる。
【０１９１】
また、図４（８）等に示す例では、変動を開始する保留記憶に対応する画面を拡大するようにしていたが、表示結果が導出表示される画面を遊技者に認識し易くすればよく、そのような構成に限られるわけではない。例えば、表示結果が導出表示される画面を光らせて強調したり、表示結果が導出表示される画面以外の画面を暗くして表示結果が導出表示される画面を強調したり、表示結果が導出表示される画面内にキャラクタを登場させてリーチ演出を煽ったりするような構成が考えられる。
【０１９２】
また、上記の実施の形態では、予告演出を実行するときの合計数（保留記憶数および保留記憶内に擬似連の変動が含まれている場合は擬似連の再変動回数を加えた数）の画面に分割するようにしていたが、合計数よりも少ない数の画面を設定し、または合計数よりも多い数の画面を設定するようにしてもよい。
【０１９３】
この実施の形態では、遊技制御用マイクロコンピュータ５６０は、はずれ用変動パターン種別判定テーブルを用いて変動パターン種別を決定して変動パターンを決定する。この場合、はずれ用変動パターン種別判定テーブルは、スーパーリーチを伴う変動パターンを含む変動パターン種別に対しては、保留記憶数にかかわらず、共通の判定値（例えば２３０〜２５１）が割り当てられている。また、はずれ用変動パターン種別判定テーブルは、スーパーリーチ以外の変動パターン（ノーマルリーチや非リーチ）を含む変動パターン種別に対しては、保留記憶数に応じて異なる判定値が割り当てられている。そのため、保留記憶数が多くなるに従って可変表示時間の短い変動パターンを含む変動パターン種別に対する判定値の割合が多くなるように割り当てを行うことによって、可変表示の作動率が低下してしまう事態を極力防止することができる。
【０１９４】
図７は、はずれ用変動パターン種別判定テーブルにおける判定値の割り当て状態を示す説明図である。この実施の形態では、例えば、保留記憶数が３以上である場合には、第１のはずれ用変動パターン種別判定テーブル（図７の左側のテーブル）が用いられ、保留記憶数が０〜２（３以下）である場合には、第２のはずれ用変動パターン種別判定テーブル（図７の右側のテーブル）が用いられるものとする。図７に示すように、保留記憶数が３以上である場合には、保留記憶数が０〜２である場合に比較して、リーチ（ノーマルリーチ、スーパーリーチ）となる割合が少ない。また、保留記憶数が３以上である場合には、変動時間の短い非リーチはずれの変動パターンが高い割合で選択され得るので、保留記憶数が多くなるに従って平均的な変動時間を短くすることができる。これによって、可変表示の作動率が低下してしまう事態を極力防止することができる。すなわち、保留記憶数が多いとき（例えば保留記憶数が３や４のとき）は、変動時間の短い変動パターンを選択されやすくして無駄な始動入賞（保留記憶が４のときに発生する保留記憶されない始動入賞）が発生するのを防止するとともに、保留記憶数が少ないとき（例えば保留記憶数が０〜２のとき）は、変動時間の長い変動パターンを選択されやすくして変動が途切れないようにすることができる。また、保留記憶数が少ないときに変動時間を長くするためにスーパーリーチの変動パターンを選択されやすくすると、スーパーリーチの大当り信頼度が停止してしまい（スーパーリーチが頻繁に発生するにもかかわらず大当りにならない事態が生じてしまい）、遊技者のスーパーリーチに対する信頼度を著しく低下させてしまうおそれがあるため、図７に示す構成では、保留記憶数にかかわらず、スーパーリーチの変動パターンについては一定の割合で選択されるようにしている。
【０１９５】
また、この実施の形態では、図７に示すように、保留記憶数にかかわらず、スーパーリーチ（スーパーリーチＡ、スーパーリーチＢ）を伴う変動パターン種別に対して、共通の判定値（２３０〜２５１）が割り当てられている。そのため、始動入賞時において、抽出した変動パターン種別判定用乱数（ランダム２）の値さえ確認すれば、スーパーリーチとなるか否かをあらかじめ容易に判定することができる。従って、その始動入賞に対応した可変表示よりも以前に、スーパーリーチとなることを報知することができ、遊技に対する興趣を向上させることができる。
【０１９６】
さらに、始動入賞時（始動口スイッチ通過処理）において保留記憶数が少なく（例えば保留記憶数が２であり）、保留記憶数が少ないときの第１のはずれ変動パターン種別判定テーブルを用いてスーパーリーチの変動パターンを決定したにもかかわらず、変動開始時（変動パターン設定処理）において保留記憶数が多くなり（例えば保留記憶数が４となり）、保留記憶数が多いときの第２のはずれ変動パターン種別判定用テーブルを用いて非リーチはずれの変動パターンを決定するような場合も生じ得る。この場合、始動入賞時に先読み判定にてスーパーリーチの変動パターンが決定され、その変動パターンを指定する第２入賞時判定結果コマンドにもとづいて予告演出を実行すると決定され、予告演出が実行されたにもかかわらず、リーチがかからずはずれになってしまい、遊技者の予告演出に対する信頼度を低下させてしまうおそれがある。しかし、図７に示す構成では、保留記憶数にかかわらず、スーパーリーチの変動パターンについては一定の割合で選択されるようにしているので、そのような事態が生じるのを確実に防止することができる。
【０１９７】
なお、この実施の形態では、保留記憶数が０〜２であるか３以上であるかの２種類について、はずれ用変動パターン種別判定テーブルの判定値の振り分けを異ならせる場合を示したが、はずれ用変動パターン種別判定テーブルの判定値の振り分けの異ならせ方は、この実施の形態で示したものに限られない。例えば、保留記憶数に応じてさらに細かく段階的に振り分けを異ならせてもよい。この場合、例えば、保留記憶数が０，１用のはずれ用変動パターン種別判定テーブルと、保留記憶数２個用、保留記憶数３個用および保留記憶数４個用のはずれ用変動パターン種別判定テーブルとをあらかじめ用意しておき、リーチを伴う変動パターン種別や短縮変動の変動パターン種別の振り分けをさらに段階的に異ならせるようにしてもよい。また、このような例にかぎらず、あらかじめ用意しておくはずれ用変動パターン種別判定テーブルの組合せは、様々なものが考えられる。例えば、保留記憶数の値ごとに別々のはずれ変動パターン種別判定テーブルをそれぞれ備えてもよい（すなわち、保留記憶数０個用、保留記憶数１個用、保留記憶数２個用、保留記憶数３個用、保留記憶数４個用・・・のはずれ変動パターン種別判定テーブルをそれぞれ別々に用いるようにしてもよい）。また、例えば、保留記憶数０〜２用、保留記憶数３用、保留記憶数４用・・・のはずれ変動パターン種別判定テーブルを用いるようにしてもよい。
【０１９８】
また、この実施の形態では、保留記憶数にかかわらず、スーパーリーチ（スーパーリーチＡ、スーパーリーチＢ）を伴う変動パターン種別に対して、全く共通の判定値（２３０〜２５１）が割り当てられている場合を示したが、一方のはずれ用変動パターン種別判定テーブルにおけるスーパーリーチに対する判定値が、他方のはずれ用変動パターン種別判定テーブルにおけるスーパーリーチに対する判定値を包含しているものであってもよい。図８は、はずれ用変動パターン種別判定テーブルにおける判定値の割り当て状態の他の例を示す説明図である。
【０１９９】
図８に示す変形例では、保留記憶数３以上の場合には、スーパーリーチを伴う変動パターン種別に対して判定値２３０〜２５１が割り当てられているのに対して、保留記憶数０〜２の場合には、スーパーリーチを伴う変動パターン種別に対して判定値２００〜２５１が割り当てられている。しかし、このような場合であっても、始動入賞時において、抽出した変動パターン種別判定用乱数（ランダム２）の値が少なくとも２３０〜２５１の範囲であれば、スーパーリーチとなることをあらかじめ容易に判定することができる。従って、その始動入賞に対応した可変表示よりも以前に、スーパーリーチとなることを報知することができ、遊技に対する興趣を向上させることができる。
【０２００】
具体的には、図８に示すように、保留記憶数が３以上である場合における非リーチの変動パターン種別に割り当てられている判定値０〜１９９のうち、判定値１００〜１９９の範囲については、保留記憶数が０〜２である場合における非リーチの変動パターン種別に割り当てられている判定値の範囲０〜９９には含まれていない。これに対して、保留記憶数が３以上である場合におけるスーパーリーチを伴う変動パターン種別に割り当てられている判定値の範囲２３０〜２５１は、保留記憶数が０〜２である場合におけるスーパーリーチを伴う変動パターン種別に割り当てられている判定値の範囲２００〜２５１にすべて含まれている。そのため、始動入賞時において、抽出した変動パターン種別判定用乱数（ランダム２）の値が少なくとも２３０〜２５１の範囲であれば、スーパーリーチとなることをあらかじめ容易に判定することができる。
【０２０１】
なお、図８に示す変形例では、保留記憶数０〜２の場合には、ノーマルリーチを伴う変動パターン種別に対して判定値１００〜１９９が割り当てられ、保留記憶数３以上の場合には、ノーマルリーチを伴う変動パターン種別に対して判定値２００〜２２９が割り当てられ、ノーマルリーチを伴う変動パターンに対して判定値が割り当てられている範囲が重複していないが、保留記憶数０〜２の場合と３以上の場合とで、ノーマルリーチを伴う変動パターン種別に対して割り当てられている判定値の範囲が重複するようにしてもよい。例えば、保留記憶数０〜２の場合には、ノーマルリーチを伴う変動パターン種別に対して判定値１００〜１９９が割り当てられ、保留記憶数３以上の場合には、ノーマルリーチを伴う変動パターン種別に対して判定値１８０〜２２９が割り当てられるように構成してもよい。なお、このように構成した場合であっても、保留記憶数が３以上である場合におけるノーマルリーチを伴う変動パターン種別に割り当てられている判定値１８０〜２２９のうちの一部の判定値１８０〜１９９の範囲のみが、保留記憶数が０〜２である場合におけるノーマルリーチを伴う変動パターン種別に割り当てられている判定値の範囲１００〜１９９に含まれていることになる。
【０２０２】
また、この実施の形態では、スーパーリーチを伴う変動パターンを一括りの変動パターン種別としてはずれ用変動パターン種別判定テーブルを構成する場合を示したが、スーパーリーチの種類ごと（例えば、スーパーリーチＡとスーパーリーチＢ）に変動パターン種別を分けてもよい。図９は、はずれ用変動パターン種別判定テーブルにおける判定値の割り当て状態のさらに他の例を示す説明図である。
【０２０３】
図９に示す変形例では、保留記憶数にかかわらず、スーパーリーチＡを伴う変動パターン種別に対して判定値２３０〜２３７が割り当てられているとともに、スーパーリーチＢを伴う変動パターン種別に対して判定値２３７〜２５１が割り当てられている。しかし、このような場合であっても、始動入賞時において、抽出した変動パターン種別判定用乱数（ランダム２）の値が２３０〜２５１の範囲であれば、スーパーリーチとなることをあらかじめ容易に判定することができる。従って、その始動入賞に対応した可変表示よりも以前に、スーパーリーチとなることを報知することができ、遊技に対する興趣を向上させることができる。
【０２０４】
また、はずれ用変動パターン種別判定テーブルを図９に示すように構成する場合であっても、スーパーリーチＡとスーパーリーチＢとの判定値の振り分けはテーブルごとに異なるようにしてもよく、図８に示した変形例と同様に、例えば、一方のはずれ用変動パターン種別判定テーブルにおけるスーパーリーチＡ，Ｂに対する判定値が、他方のはずれ用変動パターン種別判定テーブルにおけるスーパーリーチＡ，Ｂに対する判定値を包含しているものであってもよい。また、テーブル間でスーパーリーチＡとスーパーリーチＢに対する判定値の振り分けが一部重複するように構成してもよい。このことは、この実施の形態およびこの実施の形態で示す各変形例のいずれにおいても、同様に当てはめて考えることができる。
【０２０５】
また、この実施の形態によれば、スーパーリーチを伴う変動パターン以外の変動パターンとして、擬似連を伴う変動パターンを含む。そのため、スーパーリーチとなることを報知する演出が実行されない場合であっても、擬似連を伴う可変表示が行われることによって、大当り遊技状態となることに対する期待感を高めることができ、遊技に対する興趣を向上させることができる。
【０２０６】
また、この実施の形態によれば、スーパーリーチを伴う変動パターン以外の変動パターンとして擬似連を伴う変動パターンを決定するときには、保留記憶数が少ない場合には、保留記憶数が多い場合と比較して、擬似連の再変動の実行回数が多い変動パターンを決定する。そのため、保留記憶数が多いとき（保留記憶が溜まっているとき）に再変動の実行回数が多い擬似連を伴う可変表示が頻繁に行われる事態を防止することができ、可変表示の作動率が低下してしまう事態をより防止することができる。
【０２０７】
図１０は、スーパーリーチを伴う変動パターン以外の変動パターンとして、擬似連を伴う変動パターンを含む変動パターン種別にも着目して見た場合のはずれ用変動パターン種別判定テーブルにおける判定値の割り当て状態を示す説明図である。この実施の形態では、例えば、保留記憶数が３以上である場合には、スーパーリーチを伴う変動パターン以外の変動パターンを含む変動パターン種別として、はずれ用変動パターン種別（短縮用）が選択された場合、図１０に示すように、再変動回数２回の擬似連を伴う変動パターンが選択される。一方、保留記憶数が０〜２である場合には、スーパーリーチを伴う変動パターン以外の変動パターンを含む変動パターン種別として、はずれ用変動パターン種別（非短縮用）が選択された場合、図１０に示すように、再変動回数３回の擬似連を伴う変動パターンが選択される。
【０２０８】
図１０に示すように、スーパーリーチとなることを報知する演出が実行されない場合であっても、擬似連を伴う可変表示が行われる場合があるので、大当り遊技状態となることに対する期待感を高めることができ、遊技に対する興趣を向上させることができる。また、図１０に示すように、擬似連を伴う可変表示が行われる場合には、保留記憶数が０〜２と少ないときには、再変動３回の擬似連を伴う可変表示が実行され、保留記憶数が３以上と多い場合には、再変動回数が２回と少ない擬似連を伴う可変表示が実行される。そのようにすることによって、保留記憶数が多いとき（保留記憶が溜まっているとき）に再変動の実行回数が多い擬似連を伴う可変表示が頻繁に行われる事態を防止することができ、可変表示の作動率が低下してしまう事態をより防止することができる。
【０２０９】
また、この実施の形態によれば、スーパーリーチを伴う変動パターンとして擬似連を伴う変動パターンを決定する場合には、再変動の実行回数が所定回数以上（この実施の形態では４回）である擬似連を伴う変動パターンを決定可能である。また、スーパーリーチを伴う変動パターン以外の変動パターンとして擬似連を伴う変動パターンを決定する場合には、再変動の実行回数が所定回数未満（この実施の形態では２回または３回）である擬似連を伴う変動パターンを決定可能である。そのため、再変動回数が所定回数（例えば４回）以上である擬似連が実行されることによって、スーパーリーチになるかもしれないとの期待感を遊技者に抱かせることができ、遊技に対する興趣を向上させることができる。
【０２１０】
図１１は、擬似連を伴う変動パターンを含む変動パターン種別にも着目して見た場合のはずれ用変動パターン種別判定テーブルにおける判定値の割り当て状態を示す説明図である。この実施の形態では、保留記憶数にかかわらず、スーパーリーチを伴う変動パターンの変動パターン種別が選択されると、図１０に示すように、再変動回数４回の擬似連を伴う変動パターンが選択されることがある。一方、保留記憶数が３以上である場合には、スーパーリーチとならないノーマルＣＡ２−５の変動パターン種別が選択されると、図１０に示すように、再変動回数２回の擬似連を伴う変動パターンであるノーマルＰＢ２−１が選択されることがある。また、保留記憶数が０〜２である場合には、スーパーリーチとならないノーマルＣＡ２−４の変動パターン種別が選択されると、図１０に示すように、再変動回数３回の擬似連を伴う変動パターンが選択されることがある。
【０２１１】
図１１に示すように、再変動回数が４回以上である擬似連が実行されることによって、スーパーリーチになるかもしれないとの期待感を遊技者に抱かせることができ、遊技に対する興趣を向上させることができる。
【０２１２】
なお、はずれ用変動パターン種別判定テーブルにおけるスーパーリーチを伴う変動パターン種別が割り当てられている範囲内において、いずれの種類のスーパーリーチを伴う変動パターンを割り当てるようにするかや、擬似連を伴う変動パターンをどの程度の割合で割り当てるようにするかは、この実施の形態で示したものにかぎられない。図１２は、スーパーリーチを伴う変動パターン種別が割り当てられている範囲における割り当て例を示す説明図である。
【０２１３】
例えば、図１２（Ａ）に示すように、全ての種類のリーチを割り当てるのではなく、一部の大当りに対する信頼度が高いリーチ（例えば、スーパーリーチＡ〜Ｃの中のスーパーリーチＣ）のうち、擬似連を伴うものであって、その擬似連回数が多いもの（例えば４回）を、まとめて判定値２３０〜２５１の範囲に割り当てるようにしてもよい。また、例えば、図１２（Ｂ）に示すように、リーチの種類にかかわらず、全てのリーチ（例えば、スーパーリーチＡ〜スーパーリーチＣ）について、擬似連を伴うものであって、その擬似連回数が多いものを、まとめて判定値２３０〜２５１の範囲に割り当てるようにしてもよい。さらに、例えば、図１２（Ｃ）に示すように、スーパーリーチのみ（例えば、スーパーリーチＡで擬似連を伴わない）の変動パターンとは別に、擬似連を伴うものであってその擬似連回数が多い変動パターンを、特定の変動パターンとして判定値２３０〜２５１の範囲に割り当てるようにしてもよい。
【０２１４】
なお、この実施の形態では、スーパーリーチとしてスーパーリーチＡとスーパーリーチＢの２種類のリーチを用いる場合を示しているが、実行可能なスーパーリーチの種類は２種類にかぎらず、３種類以上のスーパーリーチを実行可能に構成してもよい。
【０２１５】
また、この実施の形態によれば、大当りとすることに決定した場合には、大当りとしないことに決定した場合と比較して、高い割合でスーパーリーチを伴う変動パターンとする。そのため、スーパーリーチを伴う可変表示が行われるときの大当り遊技状態への期待感を高めることができ、遊技に対する興趣をさらに向上させることができる。
【０２１６】
また、この実施の形態によれば、スーパーリーチを伴う変動パターン以外の変動パターンとして、ノーマルリーチを伴う変動パターンまたは非リーチの変動パターンとすることに決定する。そのため、スーパーリーチを伴う可変表示が行われないときであっても、ノーマルリーチを伴う可変表示が実行されて、大当り遊技状態になるかもしれないとの期待感を与えることができ、遊技に対する興趣をさらに向上させることができる。
【０２１７】
また、この実施の形態によれば、遊技制御用マイクロコンピュータ５６０は、変動パターン種別として、スーパーリーチを伴う変動パターンを含む変動パターン種別、またはスーパーリーチを伴う変動パターンを含まない変動パターン種別とすることに決定する。そして、演出図柄の可変表示パターン種別がスーパーリーチを伴う変動パターンを含む変動パターン種別となると判定したときに、演出図柄の変動パターンがスーパーリーチを伴う変動パターンとなると判定する。そのため、変動パターン種別の振り分けを変更するだけで、スーパーリーチを伴う変動パターンとそれ以外の変動パターンとの振り分けを設計段階で容易に変更することができる。
【０２１８】
また、上記の実施の形態では、演出装置を制御する回路が搭載された基板として、演出制御基板８０、音声出力基板７０およびランプドライバ基板３５が設けられているが、演出装置を制御する回路を１つの基板に搭載してもよい。さらに、演出表示装置９等を制御する回路が搭載された第１の演出制御基板（表示制御基板）と、その他の演出装置（ランプ、ＬＥＤ、スピーカ２７Ｒ，２７Ｌなど）を制御する回路が搭載された第２の演出制御基板との２つの基板を設けるようにしてもよい。
【０２１９】
また、上記の実施の形態では、遊技制御用マイクロコンピュータ５６０は、演出制御用マイクロコンピュータ１００に対して直接コマンドを送信していたが、遊技制御用マイクロコンピュータ５６０が他の基板（例えば、図３に示す音声出力基板７０やランプドライバ基板３５など、または音声出力基板７０に搭載されている回路による機能とランプドライバ基板３５に搭載されている回路による機能とを備えた音／ランプ基板）に演出制御コマンドを送信し、他の基板を経由して演出制御基板８０における演出制御用マイクロコンピュータ１００に送信されるようにしてもよい。その場合、他の基板においてコマンドが単に通過するようにしてもよいし、音声出力基板７０、ランプドライバ基板３５、音／ランプ基板にマイクロコンピュータ等の制御手段を搭載し、制御手段がコマンドを受信したことに応じて音声制御やランプ制御に関わる制御を実行し、さらに、受信したコマンドを、そのまま、または例えば簡略化したコマンドに変更して、演出表示装置９を制御する演出制御用マイクロコンピュータ１００に送信するようにしてもよい。その場合でも、演出制御用マイクロコンピュータ１００は、上記の実施の形態における遊技制御用マイクロコンピュータ５６０から直接受信した演出制御コマンドに応じて表示制御を行うのと同様に、音声出力基板７０、ランプドライバ基板３５または音／ランプ基板から受信したコマンドに応じて表示制御を行うことができる。
【産業上の利用可能性】
【０２２０】
本発明は、パチンコ遊技機などの遊技機に適用可能であり、特に、大当り等を事前の判定し、判定結果に応じて予告演出を実行する遊技機に好適に適用される。
【図面の簡単な説明】
【０２２１】
【図１】遊技機を正面からみた正面図である。
【図２】遊技制御基板（主基板）の回路構成例を示すブロック図である。
【図３】演出制御基板、ランプドライバ基板および音声出力基板の回路構成例を示すブロック図である。
【図４】演出表示装置９において実行される予告演出の表示例を示す説明図である。
【図５】演出表示装置９において実行される予告演出の表示例を示す説明図である。
【図６】演出表示装置９において実行される予告演出の表示例を示す説明図である。
【図７】はずれ用変動パターン種別判定テーブルにおける判定値の割り当て状態を示す説明図である。
【図８】はずれ用変動パターン種別判定テーブルにおける判定値の割り当て状態の他の例を示す説明図である。
【図９】はずれ用変動パターン種別判定テーブルにおける判定値の割り当て状態のさらに他の例を示す説明図である。
【図１０】スーパーリーチを伴う変動パターン以外の変動パターンとして、擬似連を伴う変動パターンを含む変動パターン種別にも着目して見た場合のはずれ用変動パターン種別判定テーブルにおける判定値の割り当て状態を示す説明図である。
【図１１】擬似連を伴う変動パターンを含む変動パターン種別にも着目して見た場合のはずれ用変動パターン種別判定テーブルにおける判定値の割り当て状態を示す説明図である。
【図１２】スーパーリーチを伴う変動パターン種別が割り当てられている範囲における割り当て例を示す説明図である。
【符号の説明】
【０２２２】
１      遊技機
８      特別図柄表示器
９      演出表示装置
１３    第１始動入賞口
１４    第２始動入賞口
２０    特別可変入賞球装置
３１    遊技制御基板（主基板）
５６    ＣＰＵ
５６０  遊技制御用マイクロコンピュータ
８０    演出制御基板
１００  演出制御用マイクロコンピュータ
１０１  演出制御用ＣＰＵ
１０９  ＶＤＰ
【図１】
2010099271.tif 000003
【図２】
2010099271.tif 000004
【図３】
2010099271.tif 000005
【図４】
2010099271.tif 000006
【図５】
2010099271.tif 000007
【図６】
2010099271.tif 000008
【図７】
2010099271.tif 000009
【図８】
2010099271.tif 000010
【図９】
2010099271.tif 000011
【図１０】
2010099271.tif 000012
【図１１】
2010099271.tif 000013
【図１２】
2010099271.tif 000014